(57)【特許請求の範囲】
【請求項１】
フィードバック情報を送信するための基地局装置（ｅＮＢ）であって、
プロセッサと、
前記プロセッサと電子通信を行うメモリとを備え、前記メモリに記憶された命令は、
拡張された物理ハイブリッド自動再送要求（ＡＲＱ）インジケータ・チャネル（ＥＰＨＩＣＨ）に関する設定パラメータを確定し、
前記設定パラメータに基づいて設定信号を送信し、
データを物理上りリンク共有チャネル（ＰＵＳＣＨ）で受信して、
前記設定パラメータに基づいてハイブリッド自動再送要求肯定応答／否定応答（ＨＡＲＱ−ＡＣＫ）情報を送信する
ために実行可能であり、
前記設定信号は、ＥＰＨＩＣＨグループおよびＥＰＨＩＣＨグループ・セットのうちの少なくとも１つを備える設定パラメータの１つ以上のセットを指示し、前記ＥＰＨＩＣＨグループは、リソース要素の同じセットにマッピングされた複数のＥＰＨＩＣＨを備え、前記ＥＰＨＩＣＨグループ・セットは、１つ以上のＥＰＨＩＣＨグループを備える、
前記ｅＮＢ。
【請求項２】
前記ＥＰＨＩＣＨグループ・セットの設定は、セル固有または端末装置（ＵＥ）固有である、請求項１に記載のｅＮＢ。
【請求項３】
第１のＥＰＨＩＣＨグループ・セットの設定は、セル固有であり、第２のＥＰＨＩＣＨグループ・セットの設定は、端末装置（ＵＥ）固有である、請求項１に記載のｅＮＢ。
【請求項４】
フィードバック情報を送信するための基地局装置（ｅＮＢ）であって、
プロセッサと、
前記プロセッサと電子通信を行うメモリとを備え、前記メモリに記憶された命令は、
拡張された物理ハイブリッド自動再送要求（ＡＲＱ）インジケータ・チャネル（ＥＰＨＩＣＨ）に関する設定パラメータを確定し、
前記設定パラメータに基づいて設定信号を送信し、
データを物理上りリンク共有チャネル（ＰＵＳＣＨ）で受信して、
前記設定パラメータに基づいてハイブリッド自動再送要求肯定応答／否定応答（ＨＡＲＱ−ＡＣＫ）情報を送信する
ために実行可能であり、
前記設定信号は、ＥＰＨＩＣＨグループ・セットとＥＰＨＩＣＨグループとの間のリンケージを備える、
前記ｅＮＢ。
【請求項５】
フィードバック情報を送信するための基地局装置（ｅＮＢ）であって、
プロセッサと、
前記プロセッサと電子通信を行うメモリとを備え、前記メモリに記憶された命令は、
拡張された物理ハイブリッド自動再送要求（ＡＲＱ）インジケータ・チャネル（ＥＰＨＩＣＨ）に関する設定パラメータを確定し、
前記設定パラメータに基づいて設定信号を送信し、
データを物理上りリンク共有チャネル（ＰＵＳＣＨ）で受信して、
前記設定パラメータに基づいてハイブリッド自動再送要求肯定応答／否定応答（ＨＡＲＱ−ＡＣＫ）情報を送信する
ために実行可能であり、
前記設定信号は、１つ以上のＥＰＨＩＣＨグループ・セット・インデックスを備える、前記ｅＮＢ。
【請求項６】
フィードバック情報を送信するための基地局装置（ｅＮＢ）であって、
プロセッサと、
前記プロセッサと電子通信を行うメモリとを備え、前記メモリに記憶された命令は、
拡張された物理ハイブリッド自動再送要求（ＡＲＱ）インジケータ・チャネル（ＥＰＨＩＣＨ）に関する設定パラメータを確定し、
前記設定パラメータに基づいて設定信号を送信し、
データを物理上りリンク共有チャネル（ＰＵＳＣＨ）で受信して、
前記設定パラメータに基づいてハイブリッド自動再送要求肯定応答／否定応答（ＨＡＲＱ−ＡＣＫ）情報を送信する
ために実行可能であり、
前記設定信号は、ＥＰＨＩＣＨグループとＥＰＨＩＣＨグループ・セットとの間のリンケージを備える、
前記ｅＮＢ。
【請求項７】
フィードバック情報を送信するための基地局装置（ｅＮＢ）であって、
プロセッサと、
前記プロセッサと電子通信を行うメモリとを備え、前記メモリに記憶された命令は、
拡張された物理ハイブリッド自動再送要求（ＡＲＱ）インジケータ・チャネル（ＥＰＨＩＣＨ）に関する設定パラメータを確定し、
前記設定パラメータに基づいて設定信号を送信し、
データを物理上りリンク共有チャネル（ＰＵＳＣＨ）で受信して、
前記設定パラメータに基づいてハイブリッド自動再送要求肯定応答／否定応答（ＨＡＲＱ−ＡＣＫ）情報を送信する
ために実行可能であり、
前記設定信号は、ＥＰＨＩＣＨグループ・セットと、仮想セルＩＤ（ＶＣＩＤ）および送信電力制御（ＴＰＣ）インデックスのうちの少なくとも１つとの間のリンケージを備える、
前記ｅＮＢ。
【請求項８】
フィードバック情報を受信するための端末装置（ＵＥ）であって、
プロセッサと、
前記プロセッサと電子通信を行うメモリとを備え、前記メモリに記憶された命令は、
拡張された物理ハイブリッド自動再送要求（ＡＲＱ）インジケータ・チャネル（ＥＰＨＩＣＨ）に関する設定信号を受信し、
前記設定信号に基づいて設定パラメータを確定し、
データを物理上りリンク共有チャネル（ＰＵＳＣＨ）で送信して、
前記設定パラメータに基づいてハイブリッド自動再送要求肯定応答／否定応答（ＨＡＲＱ−ＡＣＫ）情報を取得する
ために実行可能であり、
前記設定信号は、ＥＰＨＩＣＨグループおよびＥＰＨＩＣＨグループ・セットのうちの少なくとも１つを備える１つ以上の設定パラメータを指示し、前記ＥＰＨＩＣＨグループは、リソース要素の同じセットにマッピングされた複数のＥＰＨＩＣＨを備え、前記ＥＰＨＩＣＨグループ・セットは、１つ以上のＥＰＨＩＣＨグループを備える、
前記ＵＥ。
【請求項９】
フィードバック情報を受信するための端末装置（ＵＥ）であって、
プロセッサと、
前記プロセッサと電子通信を行うメモリとを備え、前記メモリに記憶された命令は、
拡張された物理ハイブリッド自動再送要求（ＡＲＱ）インジケータ・チャネル（ＥＰＨＩＣＨ）に関する設定信号を受信し、
前記設定信号に基づいて設定パラメータを確定し、
データを物理上りリンク共有チャネル（ＰＵＳＣＨ）で送信して、
前記設定パラメータに基づいてハイブリッド自動再送要求肯定応答／否定応答（ＨＡＲＱ−ＡＣＫ）情報を取得する
ために実行可能であり、
前記設定信号は、ＥＰＨＩＣＨグループ・セットとＥＰＨＩＣＨグループとの間のリンケージを備える、
前記ＵＥ。
【請求項１０】
フィードバック情報を受信するための端末装置（ＵＥ）であって、
プロセッサと、
前記プロセッサと電子通信を行うメモリとを備え、前記メモリに記憶された命令は、
拡張された物理ハイブリッド自動再送要求（ＡＲＱ）インジケータ・チャネル（ＥＰＨＩＣＨ）に関する設定信号を受信し、
前記設定信号に基づいて設定パラメータを確定し、
データを物理上りリンク共有チャネル（ＰＵＳＣＨ）で送信して、
前記設定パラメータに基づいてハイブリッド自動再送要求肯定応答／否定応答（ＨＡＲＱ−ＡＣＫ）情報を取得する
ために実行可能であり、
前記設定信号は、ＥＰＨＩＣＨグループとＥＰＨＩＣＨグループ・セットとの間のリンケージを備える、
前記ＵＥ。
【請求項１１】
フィードバック情報を受信するための端末装置（ＵＥ）であって、
プロセッサと、
前記プロセッサと電子通信を行うメモリとを備え、前記メモリに記憶された命令は、
拡張された物理ハイブリッド自動再送要求（ＡＲＱ）インジケータ・チャネル（ＥＰＨＩＣＨ）に関する設定信号を受信し、
前記設定信号に基づいて設定パラメータを確定し、
データを物理上りリンク共有チャネル（ＰＵＳＣＨ）で送信して、
前記設定パラメータに基づいてハイブリッド自動再送要求肯定応答／否定応答（ＨＡＲＱ−ＡＣＫ）情報を取得する
ために実行可能であり、
前記設定信号は、ＥＰＨＩＣＨグループ・セットと、仮想セルＩＤ（ＶＣＩＤ）および送信電力制御（ＴＰＣ）インデックスのうちの少なくとも１つとの間のリンケージを備える、
前記ＵＥ。
【請求項１２】
基地局装置（ｅＮＢ）によってフィードバック情報を送信するための方法であって、
拡張された物理ハイブリッド自動再送要求（ＡＲＱ）インジケータ・チャネル（ＥＰＨＩＣＨ）に関する設定パラメータを確定するステップと、
前記設定パラメータに基づいて設定信号を送信するステップと、
データを物理上りリンク共有チャネル（ＰＵＳＣＨ）で受信するステップと、
前記設定パラメータに基づいてハイブリッド自動再送要求肯定応答／否定応答（ＨＡＲＱ−ＡＣＫ）情報を送信するステップと
を備え、
前記設定信号は、ＥＰＨＩＣＨグループおよびＥＰＨＩＣＨグループ・セットのうちの少なくとも１つを備える設定パラメータの１つ以上のセットを指示し、前記ＥＰＨＩＣＨグループは、リソース要素の同じセットにマッピングされた複数のＥＰＨＩＣＨを備え、前記ＥＰＨＩＣＨグループ・セットは、１つ以上のＥＰＨＩＣＨグループを備える、前記方法。
【請求項１３】
前記ＥＰＨＩＣＨグループ・セットの設定は、セル固有または端末装置（ＵＥ）固有である、請求項１２に記載の方法。
【請求項１４】
第１のＥＰＨＩＣＨグループ・セットの設定は、セル固有であり、第２のＥＰＨＩＣＨグループ・セットの設定は、端末装置（ＵＥ）固有である、請求項１２に記載の方法。
【請求項１５】
基地局装置（ｅＮＢ）によってフィードバック情報を送信するための方法であって、
拡張された物理ハイブリッド自動再送要求（ＡＲＱ）インジケータ・チャネル（ＥＰＨＩＣＨ）に関する設定パラメータを確定するステップと、
前記設定パラメータに基づいて設定信号を送信するステップと、
データを物理上りリンク共有チャネル（ＰＵＳＣＨ）で受信するステップと、
前記設定パラメータに基づいてハイブリッド自動再送要求肯定応答／否定応答（ＨＡＲＱ−ＡＣＫ）情報を送信するステップと
を備え、
前記設定信号は、ＥＰＨＩＣＨグループ・セットとＥＰＨＩＣＨグループとの間のリンケージを備える、前記方法。
【請求項１６】
基地局装置（ｅＮＢ）によってフィードバック情報を送信するための方法であって、
拡張された物理ハイブリッド自動再送要求（ＡＲＱ）インジケータ・チャネル（ＥＰＨＩＣＨ）に関する設定パラメータを確定するステップと、
前記設定パラメータに基づいて設定信号を送信するステップと、
データを物理上りリンク共有チャネル（ＰＵＳＣＨ）で受信するステップと、
前記設定パラメータに基づいてハイブリッド自動再送要求肯定応答／否定応答（ＨＡＲＱ−ＡＣＫ）情報を送信するステップと
を備え、
前記設定信号は、１つ以上のＥＰＨＩＣＨグループ・セット・インデックスを備える、前記方法。
【請求項１７】
基地局装置（ｅＮＢ）によってフィードバック情報を送信するための方法であって、
拡張された物理ハイブリッド自動再送要求（ＡＲＱ）インジケータ・チャネル（ＥＰＨＩＣＨ）に関する設定パラメータを確定するステップと、
前記設定パラメータに基づいて設定信号を送信するステップと、
データを物理上りリンク共有チャネル（ＰＵＳＣＨ）で受信するステップと、
前記設定パラメータに基づいてハイブリッド自動再送要求肯定応答／否定応答（ＨＡＲＱ−ＡＣＫ）情報を送信するステップと
を備え、
前記設定信号は、ＥＰＨＩＣＨグループとＥＰＨＩＣＨグループ・セットとの間のリンケージを備える、前記方法。
【請求項１８】
基地局装置（ｅＮＢ）によってフィードバック情報を送信するための方法であって、
拡張された物理ハイブリッド自動再送要求（ＡＲＱ）インジケータ・チャネル（ＥＰＨＩＣＨ）に関する設定パラメータを確定するステップと、
前記設定パラメータに基づいて設定信号を送信するステップと、
データを物理上りリンク共有チャネル（ＰＵＳＣＨ）で受信するステップと、
前記設定パラメータに基づいてハイブリッド自動再送要求肯定応答／否定応答（ＨＡＲＱ−ＡＣＫ）情報を送信するステップと
を備え、
前記設定信号は、ＥＰＨＩＣＨグループ・セットと、仮想セルＩＤ（ＶＣＩＤ）および送信電力制御（ＴＰＣ）インデックスのうちの少なくとも１つとの間のリンケージを備える、前記方法。
【請求項１９】
端末装置（ＵＥ）によってフィードバック情報を受信するための方法であって、
拡張された物理ハイブリッド自動再送要求（ＡＲＱ）インジケータ・チャネル（ＥＰＨＩＣＨ）に関する設定信号を受信するステップと、
前記設定信号に基づいて設定パラメータを確定するステップと、
データを物理上りリンク共有チャネル（ＰＵＳＣＨ）で送信するステップと、
前記設定パラメータに基づいてハイブリッド自動再送要求肯定応答／否定応答（ＨＡＲＱ−ＡＣＫ）情報を取得するステップと
を備え、
前記設定信号は、ＥＰＨＩＣＨグループおよびＥＰＨＩＣＨグループ・セットのうちの少なくとも１つを備える１つ以上の設定パラメータを指示し、前記ＥＰＨＩＣＨグループは、リソース要素の同じセットにマッピングされた複数のＥＰＨＩＣＨを備え、前記ＥＰＨＩＣＨグループ・セットは、１つ以上のＥＰＨＩＣＨグループを備える、前記方法。
【請求項２０】
端末装置（ＵＥ）によってフィードバック情報を受信するための方法であって、
拡張された物理ハイブリッド自動再送要求（ＡＲＱ）インジケータ・チャネル（ＥＰＨＩＣＨ）に関する設定信号を受信するステップと、
前記設定信号に基づいて設定パラメータを確定するステップと、
データを物理上りリンク共有チャネル（ＰＵＳＣＨ）で送信するステップと、
前記設定パラメータに基づいてハイブリッド自動再送要求肯定応答／否定応答（ＨＡＲＱ−ＡＣＫ）情報を取得するステップと
を備え、
前記設定信号は、ＥＰＨＩＣＨグループ・セットとＥＰＨＩＣＨグループとの間のリンケージを備える、前記方法。
【請求項２１】
端末装置（ＵＥ）によってフィードバック情報を受信するための方法であって、
拡張された物理ハイブリッド自動再送要求（ＡＲＱ）インジケータ・チャネル（ＥＰＨＩＣＨ）に関する設定信号を受信するステップと、
前記設定信号に基づいて設定パラメータを確定するステップと、
データを物理上りリンク共有チャネル（ＰＵＳＣＨ）で送信するステップと、
前記設定パラメータに基づいてハイブリッド自動再送要求肯定応答／否定応答（ＨＡＲＱ−ＡＣＫ）情報を取得するステップと
を備え、
前記設定信号は、ＥＰＨＩＣＨグループとＥＰＨＩＣＨグループ・セットとの間のリンケージを備える、前記方法。
【請求項２２】
端末装置（ＵＥ）によってフィードバック情報を受信するための方法であって、
拡張された物理ハイブリッド自動再送要求（ＡＲＱ）インジケータ・チャネル（ＥＰＨＩＣＨ）に関する設定信号を受信するステップと、
前記設定信号に基づいて設定パラメータを確定するステップと、
データを物理上りリンク共有チャネル（ＰＵＳＣＨ）で送信するステップと、
前記設定パラメータに基づいてハイブリッド自動再送要求肯定応答／否定応答（ＨＡＲＱ−ＡＣＫ）情報を取得するステップと
を備え、
前記設定信号は、ＥＰＨＩＣＨグループ・セットと、仮想セルＩＤ（ＶＣＩＤ）および送信電力制御（ＴＰＣ）インデックスのうちの少なくとも１つとの間のリンケージを備える、前記方法。
【発明の詳細な説明】
【技術分野】
【０００１】
本開示は、一般に、通信システムに関する。より具体的には、本開示は、フィードバック情報を送受信するためのデバイスに関する。
【背景技術】
【０００２】
ワイヤレス通信デバイスは、消費者ニーズを満たし、可搬性と便利さとを改善するためにより小さくより強力になった。消費者は、ワイヤレス通信デバイスに依存するようになり、高信頼性サービス、カバレッジエリアの拡大および機能性の向上を期待するようになった。ワイヤレス通信システムは、多数のワイヤレス通信デバイスに通信を提供し、それぞれのデバイスが基地局によるサービスを享受する。基地局は、ワイヤレス通信デバイスと通信するデバイスである。
【０００３】
ワイヤレス通信デバイスが進歩するにつれて、通信容量、速度、フレキシビリティおよび／または効率の向上が求められてきた。しかしながら、通信容量、速度、フレキシビリティおよび／または効率の向上がいくつかの問題を提起することがある。
【０００４】
例えば、ワイヤレス通信デバイスは、通信構造を用いて１つ以上のデバイスと通信する。しかしながら、用いられる通信構造は、限られたフレキシビリティおよび効率を提供するに過ぎない。この考察により示されるように、通信のフレキシビリティおよび効率を向上させるシステムおよび方法が有益であろう。
【発明の概要】
【課題を解決するための手段】
【０００５】
本発明の一実施形態は、フィードバック情報を送信するための基地局装置（ｅＮＢ：ｅｖｏｌｖｅｄ  Ｎｏｄｅ  Ｂ）を開示する。ｅＮＢは、プロセッサと、プロセッサと電子通信を行うメモリとを含む。メモリに記憶された命令は、拡張された物理ハイブリッド自動再送要求（ＡＲＱ：Ａｕｔｏｍａｔｉｃ  Ｒｅｐｅａｔ  ｒｅＱｕｅｓｔ）インジケータ・チャネル（ＥＰＨＩＣＨ：Ｅｎｈａｎｃｅｄ  Ｐｈｙｓｉｃａｌ  Ｈｙｂｒｉｄ−ＡＲＱ  Ｉｎｄｉｃａｔｏｒ  Ｃｈａｎｎｅｌ）に関する設定パラメータを確定するために実行可能である。命令は、設定パラメータに基づいて設定信号を送信するためにも実行可能である。命令は、データを物理上りリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）で受信するためにさらに実行可能である。加えて、命令は、設定パラメータに基づいてハイブリッド自動再送要求肯定応答／否定応答（ＨＡＲＱ−ＡＣＫ：Ｈｙｂｒｉｄ  Ａｕｔｏｍａｔｉｃ  Ｒｅｐｅａｔ  Ｒｅｑｕｅｓｔ  Ａｃｋｎｏｗｌｅｄｇｅｍｅｎｔ／Ｎｅｇａｔｉｖｅ  Ａｃｋｎｏｗｌｅｄｇｅｍｅｎｔ）情報を送信するために実行可能である。
【０００６】
本発明の一実施形態は、フィードバック情報を受信するためのＵＥも開示する。ＵＥは、プロセッサと、プロセッサと電子通信を行うメモリとを含む。メモリに記憶された命令は、ＥＰＨＩＣＨに関する設定信号を受信するために実行可能である。命令は、設定信号に基づいて設定パラメータを確定するためにも実行可能である。命令は、データをＰＵＳＣＨで送信するためにさらに実行可能である。加えて、命令は、設定パラメータに基づいてＨＡＲＱ−ＡＣＫ情報を取得するために実行可能である。
【０００７】
本発明の一実施形態は、ｅＮＢによってフィードバック情報を送信するための方法も開示する。方法は、ＥＰＨＩＣＨに関する設定パラメータを確定するステップを含む。方法は、設定パラメータに基づいて設定信号を送信するステップも含む。加えて、方法は、データをＰＵＳＣＨで受信するステップを含む。方法は、設定パラメータに基づいてハイブリッド自動再送要求肯定応答／否定応答（ＨＡＲＱ−ＡＣＫ）情報を送信するステップをさらに含む。
【０００８】
本発明の一実施形態は、ＵＥによってフィードバック情報を受信するための方法も開示する。方法は、ＥＰＨＩＣＨに関する設定信号を受信するステップを含む。方法は、設定信号に基づいて設定パラメータを確定するステップも含む。方法は、データをＰＵＳＣＨで送信するステップをさらに含む。加えて、方法は、設定パラメータに基づいてＨＡＲＱ−ＡＣＫ情報を取得するステップを含む。
【図面の簡単な説明】
【０００９】
【図１】フィードバック情報を送受信するためのシステムおよび方法が実装された１つ以上の基地局装置（ｅＮＢ）および１つ以上の端末装置（ＵＥ：Ｕｓｅｒ  Ｅｑｕｉｐｍｅｎｔ）の一構成を示すブロック図である。
【図２】フィードバック情報を送信するための方法の一実装を示すフロー図である。
【図３】フィードバック情報を受信するための方法の一実装を示すフロー図である。
【図４】フィードバック情報を送信するための方法の別の実装を示すフロー図である。
【図５】フィードバック情報を受信するための方法の別の実装を示すフロー図である。
【図６】拡張された物理ハイブリッド自動再送要求（ＡＲＱ）インジケータ・チャネル（ＥＰＨＩＣＨ）グループ・セットの例を示すブロック図である。
【図７】ＥＰＨＩＣＨグループ・シグナリングの一実装を示すブロック図である。
【図８】送信電力制御（ＴＰＣ：Ｔｒａｎｓｍｉｔ  Ｐｏｗｅｒ  Ｃｏｎｔｒｏｌ）インデックス、仮想セルＩＤ（ＶＣＩＤ：ｖｉｒｔｕａｌ  ｃｅｌｌ  ＩＤ）およびＥＰＨＩＣＨグループ・セットのシグナリングの一実装を示すブロック図である。
【図９】ＴＰＣインデックス、ＶＣＩＤおよびＥＰＨＩＣＨグループ・セットのシグナリングの別の実装を示すブロック図である。
【図１０】ＴＰＣインデックス、ＶＣＩＤおよびＥＰＨＩＣＨグループ・セットのシグナリングのさらに別の実装を示すブロック図である。
【図１１】ＴＰＣインデックス、ＶＣＩＤおよびＥＰＨＩＣＨグループ・セットのうちの少なくとも１つを含む設定セットのシグナリングの一実装を示すブロック図である。
【図１２】ｅＮＢおよびＵＥによるＥＰＨＩＣＨリソース・シグナリングの一例を示すスレッド図である。
【図１３】ＵＥにおいて利用される様々なコンポーネントを示す。
【図１４】ｅＮＢにおいて利用される様々なコンポーネントを示す。
【図１５】フィードバック情報を送信するためのシステムおよび方法が実装されたＵＥの一構成を示すブロック図にある。
【図１６】フィードバック情報を受信するためのシステムおよび方法が実装されたｅＮＢの一構成を示すブロック図にある。
【発明を実施するための形態】
【００１０】
フィードバック情報を送信するための基地局装置（ｅＮＢ）が記載される。ｅＮＢは、プロセッサと、プロセッサと電子通信を行うメモリとを含む。メモリに記憶された命令は、拡張された物理ハイブリッド自動再送要求（ＡＲＱ）インジケータ・チャネル（ＥＰＨＩＣＨ）に関する設定パラメータを確定するために実行可能である。命令は、設定パラメータに基づいて設定信号を送信するためにも実行可能である。命令は、データを物理上りリンク共有チャネル（ＰＵＳＣＨ）で受信するためにさらに実行可能である。加えて、命令は、設定パラメータに基づいてハイブリッド自動再送要求肯定応答／否定応答（ＨＡＲＱ−ＡＣＫ）情報を送信するために実行可能である。設定信号は、ＥＰＨＩＣＨが設定されていることを示す。
【００１１】
設定信号は、ＥＰＨＩＣＨグループおよびＥＰＨＩＣＨグループ・セットのうちの少なくとも１つを含んだ設定パラメータの１つ以上のセットを指示する。ＥＰＨＩＣＨグループは、リソース要素の同じセットにマッピングされた複数のＥＰＨＩＣＨを含む。ＥＰＨＩＣＨグループ・セットは、１つ以上のＥＰＨＩＣＨグループを含む。
【００１２】
ＥＰＨＩＣＨグループ・セットの設定は、セル固有または端末装置（ＵＥ）固有である。第１のＥＰＨＩＣＨグループ・セットの設定がセル固有であり、第２のＥＰＨＩＣＨグループ・セットの設定がＵＥ固有であってもよい。
【００１３】
設定信号は、上位層シグナリングを含む。設定信号は、ＥＰＨＩＣＨグループ・セットとＥＰＨＩＣＨグループとの間のリンケージを含む。設定信号は、１つ以上のＥＰＨＩＣＨグループ・セット・インデックスを含む。設定信号は、ＥＰＨＩＣＨグループとＥＰＨＩＣＨグループ・セットとの間のリンケージを含む。設定信号は、ＥＰＨＩＣＨグループ・セットと、仮想セルＩＤ（ＶＣＩＤ）および送信電力制御（ＴＰＣ）インデックスのうちの少なくとも１つとの間のリンケージを含む。
【００１４】
フィードバック情報を受信するためのＵＥも記載される。ＵＥは、プロセッサと、プロセッサと電子通信を行うメモリとを含む。メモリに記憶された命令は、ＥＰＨＩＣＨに関する設定信号を受信するために実行可能である。命令は、設定信号に基づいて設定パラメータを確定するためにも実行可能である。命令は、データをＰＵＳＣＨで送信するためにさらに実行可能である。加えて、命令は、設定パラメータに基づいてＨＡＲＱ−ＡＣＫ情報を取得するために実行可能である。設定信号は、ＥＰＨＩＣＨが設定されていることを指示する。
【００１５】
フィードバック情報を受信するためのＵＥも記載される。ＵＥは、プロセッサと、プロセッサと電子通信を行うメモリとを含む。メモリに記憶された命令は、ＥＰＨＩＣＨに関する設定信号を受信するために実行可能である。命令は、設定信号に基づいて設定パラメータを確定するためにも実行可能である。命令は、データをＰＵＳＣＨで送信するためにさらに実行可能である。加えて、命令は、設定パラメータに基づいてＨＡＲＱ−ＡＣＫ情報を取得するために実行可能である。設定信号は、ＥＰＨＩＣＨグループおよびＥＰＨＩＣＨグループ・セットのうちの少なくとも１つを含んだ１つ以上の設定パラメータを指示する。ＥＰＨＩＣＨグループは、リソース要素の同じセットにマッピングされた複数のＥＰＨＩＣＨを含む。ＥＰＨＩＣＨグループ・セットは、１つ以上のＥＰＨＩＣＨグループを含む。
【００１６】
設定信号は、上位層シグナリングを含む。設定信号は、ＥＰＨＩＣＨグループ・セットとＥＰＨＩＣＨグループとの間のリンケージを含む。設定信号は、ＥＰＨＩＣＨグループとＥＰＨＩＣＨグループ・セットとの間のリンケージを含む。設定信号は、ＥＰＨＩＣＨグループ・セットと、ＶＣＩＤおよびＴＰＣインデックスのうちの少なくとも１つとの間のリンケージを含む。
【００１７】
ｅＮＢによってフィードバック情報を送信するための方法も記載される。方法は、ＥＰＨＩＣＨに関する設定パラメータを確定するステップを含む。方法は、設定パラメータに基づいて設定信号を送信するステップも含む。加えて、方法は、データをＰＵＳＣＨで受信するステップを含む。方法は、設定パラメータに基づいてハイブリッド自動再送要求肯定応答／否定応答（ＨＡＲＱ−ＡＣＫ）情報を送信するステップをさらに含む。
【００１８】
ＵＥによってフィードバック情報を受信するための方法も記載される。方法は、ＥＰＨＩＣＨに関する設定信号を受信するステップを含む。方法は、設定信号に基づいて設定パラメータを確定するステップも含む。方法は、データをＰＵＳＣＨで送信するステップをさらに含む。加えて、方法は、設定パラメータに基づいてＨＡＲＱ−ＡＣＫ情報を取得するステップを含む。
【００１９】
「３ＧＰＰ」とも呼ばれる第３世代パートナーシップ・プロジェクト（３ｒｄ  Ｇｅｎｅｒａｔｉｏｎ  Ｐａｒｔｎｅｒｓｈｉｐ  Ｐｒｏｊｅｃｔ）は、第３および第４世代ワイヤレス通信システムに関する世界的に適用可能な技術仕様および技術レポートを規定することを目指した連携合意である。３ＧＰＰは、次世代モバイル・ネットワーク、システムおよびデバイスに関する仕様を規定する。
【００２０】
３ＧＰＰロング・ターム・エボリューション（ＬＴＥ：Ｌｏｎｇ  Ｔｅｒｍ  Ｅｖｏｌｕｔｉｏｎ）は、将来の要求に対処すべくユニバーサル・モバイル通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）モバイルフォンまたはデバイス規格を改善するためのプロジェクトに与えられた名称である。一態様において、ＵＭＴＳは、進化型ユニバーサル地上無線アクセス（Ｅ−ＵＴＲＡ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）および進化型ユニバーサル地上無線アクセス・ネットワーク（Ｅ−ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）にサポートおよび仕様を提供するために修正された。
【００２１】
本明細書に開示されるシステムおよび方法の少なくともいくつかの態様は、３ＧＰＰ  ＬＴＥ、ＬＴＥアドバンスト（ＬＴＥ−Ａ）および他の規格（例えば、３ＧＰＰリリース８、９、１０および／または１１）に関して記載される。しかしながら、本開示の範囲は、この点で限定されるべきではない。本明細書に開示されるシステムおよび方法の少なくともいくつかの態様は、他のタイプのワイヤレス通信システムに利用されてもよい。
【００２２】
ワイヤレス通信デバイスは、音声および／またはデータを基地局へ通信するために用いられる電子デバイスであり、次には基地局がデバイスのネットワーク（例えば、公衆交換電話網（ＰＳＴＮ：ｐｕｂｌｉｃ  ｓｗｉｔｃｈｅｄ  ｔｅｌｅｐｈｏｎｅ  ｎｅｔｗｏｒｋ）、インターネットなど）と通信する。本明細書においてシステムおよび方法を記載する際に、ワイヤレス通信デバイスは、代わりに、移動局、ＵＥ、アクセス端末、加入者局、移動端末、遠隔局、ユーザ端末、端末、加入者ユニット、モバイルデバイスなどと呼ばれることがある。ワイヤレス通信デバイスの例は、セルラーフォン、スマートフォン、携帯情報端末（ＰＤＡ：ｐｅｒｓｏｎａｌ  ｄｉｇｉｔａｌ  ａｓｓｉｓｔａｎｔ）、ラップトップコンピュータ、ネットブック、電子書籍リーダ、ワイヤレス・モデムなどを含む。３ＧＰＰ仕様では、ワイヤレス通信デバイスは、典型的にＵＥと呼ばれる。しかしながら、本開示の範囲は、３ＧＰＰ規格に限定されるべきではないので、より一般的な用語「ワイヤレス通信デバイス」を意味するために、本明細書では用語「ＵＥ」および「ワイヤレス通信デバイス」が同義で用いられる。
【００２３】
３ＧＰＰ仕様では、基地局は、典型的にＮｏｄｅ  Ｂ、ｅＮＢ、ｈｏｍｅ  ｅｎｈａｎｃｅｄまたはｅｖｏｌｖｅｄ  Ｎｏｄｅ  Ｂ（ＨｅＮＢ）あるいはいくつかの他の同様の用語で呼ばれる。本開示の範囲は、３ＧＰＰ規格に限定されるべきではないので、より一般的な用語「基地局」を意味するために、本明細書では用語「基地局」、「Ｎｏｄｅ  Ｂ」、「ｅＮＢ」および「ＨｅＮＢ」が同義で用いられる。さらにまた、「基地局」の一例は、アクセスポイントである。アクセスポイントとは、ワイヤレス通信デバイスにネットワーク（例えば、ローカルエリアネットワーク（ＬＡＮ：Ｌｏｃａｌ  Ａｒｅａ  Ｎｅｔｗｏｒｋ）、インターネットなど）へのアクセスを提供する電子デバイスである。用語「通信デバイス」は、ワイヤレス通信デバイスおよび／または基地局の両方を示すために用いられる。
【００２４】
留意すべきは、本明細書では、「セル」がインターナショナル・モバイル・テレコミュニケーションズ−アドバンスト（ＩＭＴ−Ａｄｖａｎｃｅｄ：Ｉｎｔｅｒｎａｔｉｏｎａｌ  Ｍｏｂｉｌｅ  Ｔｅｌｅｃｏｍｍｕｎｉｃａｔｉｏｎｓ−Ａｄｖａｎｃｅｄ）に用いるべく規格化または規制団体によって仕様が定められたいずれかの通信チャネルであり、ｅＮＢとＵＥとの間の通信に用いることが認可されたバンド（例えば、周波数バンド）として、そのすべてまたはそのサブセットが３ＧＰＰによって採用されることである。「設定されたセル（ｃｏｎｆｉｇｕｒｅｄ  ｃｅｌｌ）」は、ＵＥが認識しており、情報を送信または受信することがｅＮＢによって許可されたセルである。「設定されたセル（単数または複数）」は、在圏セル（単数または複数）であってもよい。ＵＥは、システム情報を受信してすべての設定されたセル上で必要な測定を行う。「アクティブ化されたセル（ａｃｔｉｖａｔｅｄ  ｃｅｌｌ）」は、ＵＥが送受信を行っている設定されたセルである。すなわち、アクティブ化されたセルは、ＵＥが物理下りリンク制御チャネル（ＰＤＣＣＨ：ｐｈｙｓｉｃａｌ  ｄｏｗｎｌｉｎｋ  ｃｏｎｔｒｏｌ  ｃｈａｎｎｅｌ）をモニタする対象となるセルであり、下りリンク送信の場合には、ＵＥが物理下りリンク共有チャネル（ＰＤＳＣＨ：ｐｈｙｓｉｃａｌ  ｄｏｗｎｌｉｎｋ  ｓｈａｒｅｄ  ｃｈａｎｎｅｌ）を復号する対象となるセルである。「非アクティブ化されたセル（ｄｅａｃｔｉｖａｔｅｄ  ｃｅｌｌ）」は、ＵＥが送信ＰＤＣＣＨをモニタしていない設定されたセルである。留意すべきは、「セル」が異なる次元の観点から記載されることである。例えば、「セル」は、時間、空間（例えば、幾何形状）および周波数特性を有する。
【００２５】
本明細書に開示されるシステムおよび方法は、フィードバック情報を送受信するためのデバイスを記載する。これは、拡張された物理ハイブリッド自動再送要求（ＡＲＱ）インジケータ・チャネル（ＥＰＨＩＣＨ）のコンテキストで行われる。例えば、ＥＰＨＩＣＨ上の物理上りリンク共有チャネル（ＰＵＳＣＨ）ハイブリッド自動再送要求肯定応答／否定応答（ＨＡＲＱ−ＡＣＫ）レポーティングが記載される。
【００２６】
３ＧＰＰのリリース８〜１１仕様では、ＨＡＲＱ−ＡＣＫ情報を端末装置（ＵＥ）へ送信するために物理ハイブリッド自動再送要求（ＡＲＱ）インジケータ・チャネル（ＰＨＩＣＨ）が用いられる。新しいキャリアタイプの導入によって、ＰＨＩＣＨのようなレガシー制御チャネルは、３ＧＰＰの将来リリース、例えば、リリース１２以降には利用できない。本開示では、ＥＰＨＩＣＨに用いられるリソースをＵＥに指示するためのシステムおよび方法が記載される。
【００２７】
ＨＡＲＱ−ＡＣＫ情報を送信するためのＥＰＨＩＣＨの１つの利益は、ＵＥから送信された符号語がｅＮＢ（例えば、基地局、ｅＮｏｄｅ  Ｂなど）で正しく受信されたか否かをＥＰＨＩＣＨがＵＥに指示することである。この指示によって、ＵＥは、適応伝送が利用可能になる。また、ＥＰＨＩＣＨを用いると、ＨＡＲＱ−ＡＣＫ信号の暗黙的な指示として上りリンク・グラントを送信する必要はなくなり、下りリンクにおけるシグナリングのオーバーヘッドが削減される。
【００２８】
次に、本明細書に開示されるシステムおよび方法の様々な例が図面を参照して記載される。図面中、同様の参照番号は、機能的に類似した要素を示す。本明細書において図面に一般的に記載され、説明されるシステムおよび方法は、多種多様に異なった実装に配置され、設計されてもよい。従って、図面に表現されるいくつかの実装の以下のさらに詳細な記載は、特許請求の範囲を限定するものではなく、システムおよび方法を単に代表するに過ぎない。
【００２９】
図１は、フィードバック情報を送受信するためのシステムおよび方法が実装された１つ以上の基地局装置（ｅＮＢ）１６０および１つ以上の端末装置（ＵＥ）１０２の一構成を示すブロック図である。１つ以上のＵＥ１０２は、１つ以上のアンテナ１２２ａ〜ｎを用いて１つ以上のｅＮＢ１６０と通信する。例えば、ＵＥ１０２は、１つ以上のアンテナ１２２ａ〜ｎを用いてｅＮＢ１６０へ電磁信号を送信し、ｅＮＢ１６０から電磁信号を受信する。ｅＮＢ１６０は、１つ以上のアンテナ１８０ａ〜ｎを用いてＵＥ１０２と通信する。
【００３０】
ＵＥ１０２およびｅＮＢ１６０は、相互に通信するために１つ以上のチャネル１１９、１２１を用いる。例えば、ＵＥ１０２は、１つ以上の上りリンクチャネル１２１を用いてｅＮＢ１６０へ情報またはデータを送信する。上りリンクチャネル１２１の例は、物理上りリンク制御チャネル（ＰＵＣＣＨ：ｐｈｙｓｉｃａｌ  ｕｐｌｉｎｋ  ｃｏｎｔｒｏｌ  ｃｈａｎｎｅｌ）およびＰＵＳＣＨなどを含む。１つ以上のｅＮＢ１６０も、例として、１つ以上の下りリンクチャネル１１９を用いて１つ以上のＵＥ１０２へ情報またはデータを送信する。下りリンクチャネル１１９の例は、ＰＤＣＣＨ、ＰＤＳＣＨなどを含む。他の種類のチャネルが用いられてもよい。例えば、ＥＰＨＩＣＨは、ＰＵＳＣＨ送信に対応するＨＡＲＱ−ＡＣＫ情報を伝える下りリンクチャネル１１９である。
【００３１】
ｅＮＢ１６０は、１つ以上のトランシーバ１７６、１つ以上の復調器１７２、１つ以上のデコーダ１６６、１つ以上のエンコーダ１０９、１つ以上の変調器１１３、データバッファ１６２およびｅＮＢオペレーション・モジュール１８２を含む。例えば、ｅＮＢ１６０では１つ以上の受信および／または送信経路が実装される。便宜上、ｅＮＢ１６０では単一のトランシーバ１７６、デコーダ１６６、復調器１７２、エンコーダ１０９および変調器１１３のみが示されるが、複数の並列要素（例えば、トランシーバ１７６、デコーダ１６６、復調器１７２、エンコーダ１０９および変調器１１３）が実装されてもよい。
【００３２】
トランシーバ１７６は、１つ以上の受信機１７８および１つ以上の送信機１１７を含む。１つ以上の受信機１７８は、１つ以上のアンテナ１８０ａ〜ｎを用いてＵＥ１０２から信号を受信する。例えば、受信機１７８は、１つ以上の受信信号１７４を作り出すために信号を受信してダウンコンバートする。１つ以上の受信信号１７４は、復調器１７２に供給される。１つ以上の送信機１１７は、１つ以上のアンテナ１８０ａ〜ｎを用いてＵＥ１０２へ信号を送信する。例えば、１つ以上の送信機１１７は、１つ以上の変調信号１１５をアップコンバートして送信する。
【００３３】
復調器１７２は、１つ以上の復調信号１７０を作り出すために１つ以上の受信信号１７４を復調する。１つ以上の復調信号１７０は、デコーダ１６６へ供給される。ｅＮＢ１６０は、信号を復号するためにデコーダ１６６を用いる。デコーダ１６６は、１つ以上の復号信号１６４、１６８を作り出す。例えば、第１のｅＮＢ復号信号１６４は、データバッファ１６２に記憶される、受信したペイロード・データを備える。第２のｅＮＢ復号信号１６８は、オーバーヘッド・データおよび／または制御データを備える。例えば、第２のｅＮＢ復号信号１６８は、１つ以上のオペレーションを行うためにｅＮＢオペレーション・モジュール１８２によって用いられるデータ（例えば、ＰＵＳＣＨ送信データ）を供給する。
【００３４】
本明細書では、用語「モジュール」は、特定の要素またはコンポーネントがハードウェア、ソフトウェア、またはハードウェアおよびソフトウェアの組み合わせで実装されることを意味する。しかしながら、留意すべきは、本明細書に「モジュール」として示される任意の要素が代わりにハードウェアで実装されてもよいことである。例えば、ｅＮＢオペレーション・モジュール１８２は、ハードウェア、ソフトウェアまたは両方の組み合わせで実装されてもよい。
【００３５】
一般に、ｅＮＢオペレーション・モジュール１８２は、ｅＮＢ１６０が１つ以上のＵＥ１０２と通信することを可能にする。ｅＮＢオペレーション・モジュール１８２は、設定パラメータ１９４、設定パラメータ確定モジュール１９６、設定信号確定モジュール１９８およびｅＮＢ  ＨＡＲＱ−ＡＣＫ生成モジュール１２５のうちの１つ以上を含む。１つの実装では、ｅＮＢオペレーション・モジュール１８２は、設定信号１２３を含む。別の実装では、ｅＮＢオペレーション・モジュール１８２は、ＥＰＨＩＣＨリソース・インジケータ１０７を含む。さらに別の実装では、ｅＮＢオペレーション・モジュール１８２は、設定信号１２３およびＥＰＨＩＣＨリソース・インジケータ１０７の両方を含む。
【００３６】
ＥＰＨＩＣＨ時間および／または周波数リソースは、ｅＮＢ１６０によりいくつかの重なり合わないグループに区分される。本明細書に記載されるシステムおよび方法を通じて、ｅＮＢ１６０は、ＥＰＨＩＣＨに用いられるリソースを（例として、ＵＥ１０２に）指示する。
【００３７】
１つの実装では、設定パラメータ確定モジュール１９６は、ＥＰＨＩＣＨに関する設定パラメータ１９４を確定する。設定パラメータ１９４は、ＥＰＨＩＣＨに用いられるリソースを含む。例えば、設定パラメータ１９４は、ＥＰＨＩＣＨに関する時間および／または周波数リソースおよび／またはスクランブル・シーケンスおよび／または拡散シーケンスを含む。ＥＰＨＩＣＨは、ＰＵＳＣＨ送信に対するＨＡＲＱ−ＡＣＫ情報を伝える。複数のＥＰＨＩＣＨは、ＥＰＨＩＣＨグループを構成する。例として、リソース要素の同じセットにマッピングされた複数のＥＰＨＩＣＨがＥＰＨＩＣＨグループを構成する。
【００３８】
本明細書では、リソース要素は、上りリンクおよび／または下りリンク送信のための最小時間および周波数リソース単位である。物理チャネルは、上位層に由来する情報を伝えるリソース要素のセットに対応し、ｅＮＢ１６０とＵＥ１０２との間のインターフェースである。
【００３９】
１つ以上のＥＰＨＩＣＨグループが設定パラメータ１９４に含まれてもよい。ＥＰＨＩＣＨグループは、関連付けられたＥＰＨＩＣＨグループ・インデックスを有し、このインデックスがその特定のＥＰＨＩＣＨグループを識別するために（例として、ＵＥ１０２および／またはｅＮＢ１６０によって）用いられる。
【００４０】
ＥＰＨＩＣＨグループは、１つ以上のＥＰＨＩＣＨグループ・セットとさらに関連付けられる。ＥＰＨＩＣＨグループ・セットは、重なり合ってもよい（例えば、複数のＥＰＨＩＣＨグループ・セットが１つ以上の同じＥＰＨＩＣＨグループを含んでもよい）。１つの実装では、ＥＰＨＩＣＨグループ・セットの設定は、セル固有である（例えば、すべてのＵＥ１０２は、すべての、または同じＥＰＨＩＣＨグループ・セットについて通知される）。別の実装では、ＥＰＨＩＣＨグループ・セットの設定は、ＵＥ固有である（例えば、ＵＥ１０２は、異なるＥＰＨＩＣＨグループ・セットを用いて構成される）。さらに別の実装では、１つ以上のＥＰＨＩＣＨグループ・セットの設定がセル固有であり、１つ以上の他のＥＰＨＩＣＨグループ・セットの設定がＵＥ固有である。ＥＰＨＩＣＨグループ・セットは、関連付けられたＥＰＨＩＣＨグループ・セット・インデックスを有し、このインデックスがその特定のＥＰＨＩＣＨグループ・セットを識別するために（例として、ＵＥ１０２および／またはｅＮＢ１６０によって）用いられる。１つ以上のＥＰＨＩＣＨグループ・セットの設定は、設定パラメータ確定モジュール１９６によって行われる。
【００４１】
加えて、設定パラメータ１９４は、送信電力制御（ＴＰＣ）パラメータを含む。上りリンク送信電力は、（ＴＰＣループとも呼ばれる）ＴＰＣによって確定される。ＴＰＣは、（例として、チャネルに依存して）静的、準静的であるか、および／または動的に変化する。ＴＰＣは、ＵＥ１０２と受信ポイント（例えば、ｅＮＢ１６０）との間の長期および短期無線チャネルに依存する。ＵＥ１０２は、受信ポイントを動的に切り替え、それゆえにＵＥ１０２は、複数のＴＰＣセット（例えば、受信ポイントごとに１つのＴＰＣセット）を維持する。異なるＴＰＣセット間の動的な切り替えは、上りリンク・グラントに関わる下りリンク制御情報（ＤＣＩ：Ｄｏｗｎｌｉｎｋ  Ｃｏｎｔｒｏｌ  Ｉｎｆｏｒｍａｔｉｏｎ）フィールド（例えば、以下に記載されるＤＣＩフィーマット０および４）でのＴＰＣインデックスの送信によって動的に行われる。
【００４２】
下りリンク制御情報は、下りリンク制御情報（ＤＣＩ）として知られる予め指定された長さのパケットで送信される。ＰＤＣＣＨがＤＣＩを伝える。ＤＣＩは、様々な情報を伝えることができる。例えば、１つのＤＣＩは、下りリンク・リソース割り当てについて複数のＵＥ１０２に通知するために用いられ、他方は、上りリンク・リソース割り当てについて特定のＵＥ１０２に通知するために用いられるなどである。このように、ＤＣＩの機能に依存して、異なる機能をもつ異なるＤＣＩが異なる長さ（例えば、ビット）を有する。ＤＣＩは、下りリンクまたは上りリンク・スケジューリング情報および／または非周期的なチャネル品質インジケータ（ＣＱＩ：ｃｈａｎｎｅｌ  ｑｕａｌｉｔｙ  ｉｎｄｉｃａｔｏｒ）レポートに対するリクエストを伝えることもできる。留意すべきは、巡回冗長検査（ＣＲＣ：Ｃｙｃｌｉｃ  Ｒｅｄｕｎｄａｎｃｙ  Ｃｈｅｃｋ）が無線ネットワーク一時識別子（ＲＮＴＩ：Ｒａｄｉｏ  Ｎｅｔｗｏｒｋ  Ｔｅｍｐｏｒａｒｙ  Ｉｄｅｎｔｉｆｉｅｒ）に基づいてスクランブルされることである。いくつかの構成では、マルチキャスト制御チャネル（ＭＣＣＨ：ｍｕｌｔｉｃａｓｔ  ｃｏｎｔｒｏｌ  ｃｈａｎｎｅｌ）変更ならびに１つのセルおよび１つのＲＮＴＩに対する上りリンク電力制御コマンドのような機能は、ＤＣＩには含まれないが、他の下りリンク制御情報の一部とすることができる。
【００４３】
異なるＤＣＩは、フォーマットされ、符号化される方法によって識別され、それらはＤＣＩフォーマットと呼ばれる。ＤＣＩフォーマットは、ＤＣＩフィールドのセットである。例えば、ＤＣＩフォーマット０は、１つの上りリンク（ＵＬ）セルでのＰＵＳＣＨのスケジューリングに用いられる。ＤＣＩフォーマット４は、マルチアンテナポート送信モードを用いた１つのＵＬセルでのＰＵＳＣＨのスケジューリングに用いられる。
【００４４】
加えて、設定パラメータ１９４は、１つ以上の復調参照信号（ＤＭＲＳ：ｄｅｍｏｄｕｌａｔｉｏｎ  ｒｅｆｅｒｅｎｃｅ  ｓｉｇｎａｌ）に関する情報を含む。ＤＭＲＳは、ＵＥ１０２に固有の参照信号である。参照信号は、送信機および受信機の両方に知られた所定のシーケンスである。受信機は、参照信号を受信すると、チャネル推定を行い、モビリティ測定およびＣＳＩ測定を行って、付随データの１つ以上の復調に用いられる情報（例えば、チャネル状態情報（ＣＳＩ：ｃｈａｎｎｅｌ  ｓｔａｔｅ  ｉｎｆｏｒｍａｔｉｏｎ）、周波数シフト、ドップラーシフト、遅延の広がりなど）を抽出する。３ＧＰＰ仕様に従って参照信号のシーケンスを生成するために用いられるパラメータの１つは、仮想セルＩＤ（ＶＣＩＤ）である。１つのＶＣＩＤは、ＰＵＳＣＨ送信に関わるＤＭＲＳのベースシーケンスを生成するために用いられ、参照信号ＩＤ（ＲＳＩＤ：ｒｅｆｅｒｅｎｃｅ  ｓｉｇｎａｌ  ＩＤ）とも呼ばれる。例えば、復調参照信号（ＤＭＲＳ）のために設定される複数の仮想セルＩＤ（ＶＣＩＤ）がある。ＤＭＲＳシーケンスを生成するための単一のＶＣＩＤは、ＥＰＨＩＣＨリソース・インジケータに基づいて確定される。別のＶＣＩＤは、サイクリックシフトを生成するために用いられる。
【００４５】
（物理セルＩＤとも呼ばれる）セルＩＤは、セル検索および同期のときにＵＥ１０２により同期信号から間接的に取得される。ＶＣＩＤは、ｅＮＢ１６０により無線リソース制御（ＲＲＣ：ｒａｄｉｏ  ｒｅｓｏｕｒｃｅ  ｃｏｎｔｒｏｌ）シグナリングを通じて設定され、セルＩＤを用いる数式（例えば、ＤＭＲＳシーケンスの導出に関する数式）中のセルＩＤを置き換える。１つのＤＭＲＳシーケンスは、ベースシーケンスと呼ばれる。いくつかの他のＤＭＲＳシーケンスは、ベースシーケンスのサイクリックシフトを適用することによってベースシーケンスから生成できる。ベースシーケンスのサイクリックシフトによって生成される各シーケンスは、サイクリックシフト・インデックスによって確定できる。それゆえに、設定パラメータ１９４は、ＰＵＳＣＨ送信に関わるＤＭＲＳのベースシーケンスを生成するための第１のＶＣＩＤを含む。例えば、復調参照信号（ＤＭＲＳ）のために設定される複数の仮想セルＩＤ（ＶＣＩＤ）がある。ＤＭＲＳシーケンスを生成するための単一のＶＣＩＤは、（ｅＮＢ１６０および／またはＵＥ１０２によって）ＥＰＨＩＣＨリソース・インジケータに基づいて確定される。設定パラメータ１９４は、ＰＵＳＣＨ送信に関わるＤＭＲＳに対するサイクリックシフトおよび／またはサイクリックシフト・インデックスを生成するための第２のＶＣＩＤも含む。
【００４６】
設定パラメータ確定モジュール１９６は、ＵＥ１０２に関わる設定の１つ以上のセットを設定する。設定の各セットは、ＥＰＨＩＣＨグループ・セット、ＥＰＨＩＣＨグループ・セット・インデックス、ＥＰＨＩＣＨグループ、ＥＰＨＩＣＨグループ・インデックス、ＰＵＳＣＨ送信に関わるＤＭＲＳのベースシーケンスを生成するための第１のＶＣＩＤ、ＰＵＳＣＨ送信に関わるＤＭＲＳに対するサイクリックシフトを生成するための第２のＶＣＩＤ、１つ以上のＴＰＣパラメータ、およびＴＰＣインデックスの組み合わせを含む。
【００４７】
１つの実装では、ｅＮＢ１６０は、設定パラメータ１９４を上位層シグナリングによってＵＥ１０２に指示する。例えば、ｅＮＢ１６０は、上位層シグナリング（例えば、システム情報（ＳＩ：Ｓｙｓｔｅｍ  Ｉｎｆｏｒｍａｔｉｏｎ）シグナリングおよび／またはＲＲＣシグナリング）を含む設定信号１２３をＵＥ１０２へ送信する。設定信号１２３は、設定パラメータ１９４（例えば、設定パラメータの１つ以上のセット）を伝える情報要素を含む。設定信号１２３（および関連する情報要素）は、ブロードキャストされるか、または専用にシグナリングされる。設定信号１２３は、セル固有またはＵＥ１０２固有の情報要素を含む。
【００４８】
設定信号１２３は、ＥＰＨＩＣＨ時間および／または周波数リソースが設定されているか否かを指示する情報要素も含む。言い換えれば、設定信号１２３は、ＥＰＨＩＣＨが下りリンクで用いられるか否かを指示する。
【００４９】
加えて、設定信号１２３は、ＥＰＨＩＣＨグループおよびＥＰＨＩＣＨグループ・セットのうちの少なくとも１つを指示する情報要素を含む。先に考察したように、ＥＰＨＩＣＨグループは、リソース要素の同じセットにマッピングされた複数のＥＰＨＩＣＨを含み、ＥＰＨＩＣＨグループ・セットは、１つ以上のＥＰＨＩＣＨグループを含む。設定信号１２３は、１つ以上のＥＰＨＩＣＨグループ・インデックスを指示する１つ以上の情報要素を含む。設定信号１２３は、１つ以上のＥＰＨＩＣＨグループ・セット・インデックスを指示する１つ以上の情報要素も含む。
【００５０】
ＥＰＨＩＣＨリソースは、次の式に示されるようにＰＨＩＣＨリソースと同様に識別される。例えば、この式は、ＥＰＨＩＣＨリソース（例えば、時間−周波数リソース要素）を識別するためのアプローチを提供する。先に記載されたように、ＥＰＨＩＣＨは、ＨＡＲＱ−ＡＣＫを伝える。リソース要素の同じセットにマッピングされた複数のＥＰＨＩＣＨは、ＥＰＨＩＣＨグループを構成し、同じＥＰＨＩＣＨグループ内のＥＰＨＩＣＨは、異なる直交シーケンスを通じて分離される。ＥＰＨＩＣＨリソースは、インデックス対
【数１】
0006423790.tif 000002
【００５１】
によって識別され、ここで、
【数２】
0006423790.tif 000003
【００５２】
は、ＥＰＨＩＣＨグループ番号であり、
【数３】
0006423790.tif 000004
【００５３】
は、グループ内の直交シーケンス・インデックスである。
【００５４】
フレーム構造タイプ１に関しては、ＥＰＨＩＣＨグループの数
【数４】
0006423790.tif 000005
【００５５】
がすべてのサブフレームにおいて一定であり、通常のサイクリックプレフィックスに対して
【数５】
0006423790.tif 000006
【００５６】
、拡張されたサイクリックプレフィックスに対して
【数６】
0006423790.tif 000007
【００５７】
で示され、ここで
Ｎｇ∈｛１／６，１／２，１，２｝
【００５８】
は、（例として、ｅＮＢ１６０から）上位層によって与えられる。インデックス
【数７】
0006423790.tif 000008
【００５９】
は、
０
から
【００６０】
【数８】
0006423790.tif 000009
まで
【００６１】
の範囲をとりうる。
【００６２】
フレーム構造タイプ２に関しては、ＥＰＨＩＣＨグループの数が下りリンクサブフレーム間で変化し、
【数９】
0006423790.tif 000010
【００６３】
によって示され、ここで
ｍｉ
【００６４】
は、表１によって示され、
【数１０】
0006423790.tif 000011
【００６５】
は、上記の表現によって示される。留意すべきは、フレーム構造タイプ２が時分割多重（ＴＤＤ：ｔｉｍｅ−ｄｉｖｉｓｉｏｎ  ｄｕｐｌｅｘｉｎｇ）に等価なことである。ゼロでないＥＰＨＩＣＨリソースをもつ下りリンクサブフレームにおけるインデックス
【数１１】
0006423790.tif 000012
【００６６】
は、
０
から
【００６７】
【数１２】
0006423790.tif 000013
まで
【００６８】
の範囲をとりうる。
【表１】
0006423790.tif 000014
【００６９】
サブフレーム「ｎ」での在圏セル
ｃ
【００７０】
からのスケジュールされたＰＵＳＣＨ送信に対して、ＵＥ１０２は、
【００７１】
サブフレーム
ｎ＋ｋＥＰＨＩＣＨ
における在圏セル
ｃ
の対応するＥＰＨＩＣＨリソースを確定する。
【００７２】
周波数分割多重（ＦＤＤ：ｆｒｅｑｕｅｎｃｙ−ｄｉｖｉｓｉｏｎ  ｄｕｐｌｅｘｉｎｇ）に関して、
ｋＥＰＨＩＣＨ
【００７３】
は、常に４である。ＴＤＤシナリオに関しては、ＵＥ１０２が１つの在圏セルを用いて構成されるか、またはＵＥ１０２が１つより多い在圏セルを用いて構成され、かつすべての設定された在圏セルのＴＤＤ上り下りリンク（ＵＬ−ＤＬ）構成が同じであれば、サブフレーム「ｎ」での在圏セル
ｃ
【００７４】
からのスケジュールされたＰＵＳＣＨ送信に対して、ＵＥ１０２は、
【００７５】
サブフレーム
ｎ＋ｋＥＰＨＩＣＨ
における在圏セル
ｃ
の対応するＥＰＨＩＣＨリソースを確定し、
【００７６】
ここで
ｋＥＰＨＩＣＨ
【００７７】
は、表２に示される。別のＴＤＤシナリオでは、ＵＥ１０２が１つより多い在圏セルを用いて構成され、かつ少なくとも２つの設定された在圏セルのＴＤＤ  ＵＬ−ＤＬ構成が同じでなければ、サブフレーム「ｎ」での在圏セル
ｃ
【００７８】
からのスケジュールされたＰＵＳＣＨ送信に対して、ＵＥ１０２は、
【００７９】
サブフレーム
ｎ＋ｋＥＰＨＩＣＨ
における在圏セル
ｃ
の対応するＥＰＨＩＣＨリソースを確定し、
【００８０】
ここで、
ｋＥＰＨＩＣＨ
【００８１】
は、表２に示される。サブフレーム・バンドリング・オペレーションでは、対応するＥＰＨＩＣＨリソースがバンドルにおける最後のサブフレームと関連付けられる。
【表２】
0006423790.tif 000015
【００８２】
ＥＰＨＩＣＨリソースは、インデックス対
【数１３】
0006423790.tif 000016
によって識別され、
【００８３】
ここで
【数１４】
0006423790.tif 000017
【００８４】
は、ＥＰＨＩＣＨグループ番号であり、
【数１５】
0006423790.tif 000018
【００８５】
は、グループ内の直交シーケンス・インデックスであり、数式（１）および（２）に従って定義される。
【００８６】
【数１６】
0006423790.tif 000019
【数１７】
0006423790.tif 000020
式（１）および（２）において、
ｎＤＭＲＳ
は、対応するＰＵＳＣＨ送信と関連付けられたトランスポートブロック（単数または複数）に関わる上りリンクＤＣＩフォーマット４をもつ最新ＰＤＣＣＨにおける（表６による）ＤＭＲＳフィールドに対するサイクリックシフトからマッピングされる。
ｎＤＭＲＳ
は、同じトランスポートブロックに関わる上りリンクＤＣＩフォーマットをもつＰＤＣＣＨが何もなく、同じトランスポートブロックに関わる最初のＰＵＳＣＨがセミパーシステントにスケジュールされているか、または同じトランスポートブロックに関わる最初のＰＵＳＣＨがランダムアクセス・レスポンス・グラントによってスケジュールされていれば、ゼロにセットされる。留意すべきは、ＥＰＨＩＣＨグループがＥＰＨＩＣＨ時間および／または周波数リソースを識別し、ＥＰＨＩＣＨリソースとは異なることである。
【数１８】
0006423790.tif 000021
は、ＥＰＨＩＣＨ変調に用いられる拡散率サイズである。特に、変調は、以下に記載されるように３ＧＰＰ  ＴＳ３６．２１１に従って行われる。１つのサブフレームにおいて１つのＥＰＨＩＣＨ上で送信されるビットのブロック
ｂ（０），．．．，ｂ（Ｍｂｉｔ−１）
は、（例えば、３ＧＰＰ  ＴＳ３６．２１１の表７．１．２−１からの）下の表４に記載されるように変調されて、複素値の変調シンボルのブロック
ｚ（０），．．．，ｚ（Ｍｓ−１）
をもたらし、ここで
Ｍｓ＝Ｍｂｉｔ
である。特に、表４は、直交位相シフトキーイング（ＱＰＳＫ：ｑｕａｄｒａｔｕｒｅ  ｐｈａｓｅ  ｓｈｉｆｔ  ｋｅｙｉｎｇ）変調マッピングを示す。ＱＰＳＫ変調の場合、ビットの対
ｂ（ｉ），ｂ（ｉ＋１）
は、表４に従って複素値の変調シンボル
ｘ＝Ｉ＋ｊＱ
にマッピングされる。（例えば、３ＧＰＰ  ＴＳ３６．２１１の表６．９．１−１からの）表３は、拡張された物理ハイブリッドＡＲＱインジケータ・チャネルに適用可能な変調マッピングまたは方式を指定する。
【表３】
0006423790.tif 000022
【表４】
0006423790.tif 000023
変調シンボルのブロック
ｚ（０），．．．，ｚ（Ｍｓ−１）
は、シンボルごとに直交シーケンスと乗算されて、スクランブルされ、
【数１９】
0006423790.tif 000024
に従って、変調シンボルのシーケンス
ｄ（０），．．．，ｄ（Ｍｓｙｍｂ−１）
をもたらし、ここで
【数２０】
0006423790.tif 000025
であり、
ｃ（ｉ）
は、セル固有のスクランブル・シーケンスである。スクランブル・シーケンス生成器は、各サブフレームの開始のときに、
【数２１】
0006423790.tif 000026
を用いて初期化される。サブフレーム番号は、「ｎｓ」によって指示される。ＥＰＨＩＣＨに対する直交シーケンス
【数２２】
0006423790.tif 000027
は、３ＧＰＰ  ＴＳ３６．２１１の表６．９．１−２からの）表５によって示され、ここでシーケンス・インデックス
【数２３】
0006423790.tif 000028
は、ＥＰＨＩＣＨグループ内のＥＰＨＩＣＨ番号に対応する。
【表５】
0006423790.tif 000029
実際、２相位相シフトキーイング（ＢＰＳＫ：ｂｉｎａｒｙ  ｐｈａｓｅ  ｓｈｉｆｔ  ｋｅｙｉｎｇ）変調後にＥＰＨＩＣＨ上で送信されることになるＡｃｋ／Ｎａｃｋの各ビットは、表５における然るべきベクトルが乗算されて、結果として、通常のサイクリックプレフィックスについてはこのビットが４回繰り返され、拡張されたサイクリックプレフィックスについては（ベクトル乗算を用いた変換を考慮に入れて）２回繰り返される。
【００８７】
関連付けられたＰＤＣＣＨをもつＰＵＳＣＨの第１のトランスポートブロックに関して、または関連付けられたＰＤＣＣＨが何もない場合、否定応答されたトランスポートブロックの数が、対応するＰＵＳＣＨと関連付けられた最新ＰＤＣＣＨで指示されたトランスポートブロックの数に等しくないときには、
【数２４】
0006423790.tif 000030
であり、あるいは、関連付けられたＰＤＣＣＨをもつＰＵＳＣＨの第２のトランスポートブロックに関しては、
【数２５】
0006423790.tif 000031
である。
【数２６】
0006423790.tif 000032
は、対応するＰＵＳＣＨ送信の第１のスロットにおける最低物理リソースブロック（ＰＲＢ：ｐｈｙｓｉｃａｌ  ｒｅｓｏｕｒｃｅ  ｂｌｏｃｋ）インデックスである。
【数２７】
0006423790.tif 000033
は、先に記載されたように上位層によって設定されたＥＰＨＩＣＨグループの数である。サブフレーム「ｎ」＝４または９にＰＵＳＣＨ送信をもつＴＤＤ  ＵＬ−ＤＬ構成に関しては、
ＩＥＰＨＩＣＨ＝１
であり、そうでない場合には、
ＩＥＰＨＩＣＨ＝０
である。
【表６】
0006423790.tif 000034
加えて、設定信号１２３は、設定パラメータ１９４間のリンケージを含む。例えば、項目Ａと項目Ｂとの間のリンケージは、ＡとＢとの間の依存性を表す。依存性は、様々な形態を有しうる。１つの実装では、Ｂの値は、Ａの値に基づいてルックアップ表から同定される。別の実装では、Ｂの値は、入力パラメータとして少なくともＡの値をとる数式から同定される。さらに別の実装では、Ａが設定されている情報要素は、Ｂが設定されている情報要素に記憶されたＢの値からその値をとるパラメータを含む。
【００８８】
設定信号１２３に含められる１つのリンケージは、１つのＥＰＨＩＣＨグループ・セットと１つ以上のＥＰＨＩＣＨグループまたはＥＰＨＩＣＨグループのリストとの間である。言い換えれば、設定信号１２３は、１つのＥＰＨＩＣＨグループ・セットと１つ以上のＥＰＨＩＣＨグループとの間の依存性を指示する。
【００８９】
別のリンケージは、ＥＰＨＩＣＨグループとＥＰＨＩＣＨグループ・セットとの間である。さらに別のリンケージは、ＥＰＨＩＣＨグループ・セットとＤＭＲＳセッティング（例えば、ＰＵＳＣＨ送信に関わるＤＭＲＳのベースシーケンスを生成するための第１のＶＣＩＤ、および／またはＰＵＳＣＨ送信に関わるＤＭＲＳに対するサイクリックシフトを生成するための第２のＶＣＩＤ）との間である。別のリンケージは、ＥＰＨＩＣＨグループ・セットとＴＰＣインデックスとの間である。さらに別のリンケージは、ＶＣＩＤ（例えば、ＤＭＲＳセッティング）とＴＰＣインデックスとの間である。
【００９０】
いくつかの構成において、上位層シグナリング、例えば、無線リソース制御（ＲＲＣ）シグナリングは、ＥＰＨＩＣＨを有効にするか否かを設定する。例えば、ｅＮＢ１６０は、ＥＰＨＩＣＨを設定すべくＲＲＣシグナリングをＵＥ１０２へ送信する。１つの実装では、ＥＰＨＩＣＨが設定されていれば、ｅＮＢ１６０は、ＥＰＨＩＣＨリソース・インジケータ１０７を１つ以上のＵＥ１０２へ送信する。ＥＰＨＩＣＨリソース・インジケータ１０７は、設定信号１２３の代わりに、またはそれに加えて用いられてもよい。ｅＮＢオペレーション・モジュール１８２は、ＥＰＨＩＣＨリソース・インジケータ確定モジュール１２７を含む。ＥＰＨＩＣＨリソース・インジケータ確定モジュール１２７は、設定パラメータ１９４に基づいてＥＰＨＩＣＨリソース・インジケータ１０７を生成する。１つの実装では、ＥＰＨＩＣＨリソース・インジケータ１０７は、上りリンク・グラントに対応するＤＣＩにおけるフィールドである。上りリンク・グラントは、上りリンクチャネル１２１上の送信をスケジュールするためにｅＮＢ１６０からＵＥ１０２へ送信される。ＤＣＩにおけるこのフィールドの長さは、例えば、１から５ビット（例えば、ＤＣＩビット）である。上りリンク・グラントに対して、１つ以上のＤＣＩフォーマットにＤＣＩビットが加えられてもよい。
【００９１】
ＥＰＨＩＣＨリソース・インジケータ１０７に含まれるＤＣＩビットは、様々なリソース・パラメータを指示するために用いられる。１つの実装では、ＤＣＩビットは、ＥＰＨＩＣＨグループ・セット・インデックスを確定するために（例として、ＵＥ１０２によって）用いられる。ＥＰＨＩＣＨグループ・セット・インデックスを確定すると、ＥＰＨＩＣＨグループ・セット・インデックスに基づいてＶＣＩＤおよびＴＰＣインデックスのうちの少なくとも１つが確定される。ＤＣＩビットは、ＰＵＳＣＨ送信に関わるＤＭＲＳのベースシーケンスを生成するための第１のＶＣＩＤ、および／またはＰＵＳＣＨ送信に関わるＤＭＲＳに対するサイクリックシフトを生成するための第２のＶＣＩＤのうちのいずれかまたは両方を確定するために用いられる。
【００９２】
別の実装では、ＤＣＩビットは、ＴＰＣインデックスを確定するために用いられる。ＴＰＣインデックスを確定すると、ＴＰＣインデックスに基づいてＶＣＩＤおよびＥＰＨＩＣＨグループ・セット・インデックスのうちの少なくとも１つが確定される。ＴＰＣインデックスは、ＰＵＳＣＨ送信に関わるＤＭＲＳのベースシーケンスを生成するための第１のＶＣＩＤ、および／またはＰＵＳＣＨ送信に関わるＤＭＲＳに対するサイクリックシフトを生成するための第２のＶＣＩＤのうちのいずれかまたは両方を確定するために用いられる。
【００９３】
さらに別の実装では、ＤＣＩビットは、１つ以上のＶＣＩＤを確定するために用いられる。ＤＣＩビットは、ＰＵＳＣＨ送信に関わるＤＭＲＳのベースシーケンスを生成するための第１のＶＣＩＤ、および／またはＰＵＳＣＨ送信に関わるＤＭＲＳに対するサイクリックシフトを生成するための第２のＶＣＩＤのうちのいずれかまたは両方を確定するために用いられる。１つ以上のＶＣＩＤを確定すると、１つ以上のＶＣＩＤに基づいてＴＰＣインデックスおよびＥＰＨＩＣＨグループ・セット・インデックスのうちの少なくとも１つが確定される。
【００９４】
ＤＣＩビットは、ＥＰＨＩＣＨグループ・インデックスも識別する。それゆえに、ＥＰＨＩＣＨリソース・インジケータ１０７に含まれるＤＣＩビットは、ＥＰＨＩＣＨグループ・インデックスおよびＥＰＨＩＣＨグループ・セット・インデックスの両方を指示する。上記のように、ＥＰＨＩＣＨグループ・インデックスは、ＰＵＳＣＨ物理リソースブロック（ＰＲＢ）番号、ＰＵＳＣＨ  ＤＭＲＳに対するサイクリックシフト・インデックスおよびｎＤＭＲＳパラメータ（例えば、先に記載されたような
ｎＤＭＲＳ
）のうちの１つ以上に基づいて確定される。
【００９５】
ＤＣＩビットは、設定セット・インデックスも識別する。設定セットは、１つのＥＰＨＩＣＨグループ・セット、１つのＴＰＣインデックス、およびＶＣＩＤの組み合わせを含む。それゆえに、設定セットを指示することによって、ＤＣＩビットは、関連付けられたＥＰＨＩＣＨグループ・セット、ＴＰＣインデックスおよびＶＣＩＤを指示できる。設定セットは、下の図１１に関連してより詳細に考察される。
【００９６】
ｅＮＢ  ＨＡＲＱ−ＡＣＫ生成モジュール１２５は、ＰＵＳＣＨ送信で受信されたデータに基づいてＨＡＲＱ−ＡＣＫ情報を生成する。例えば、ｅＮＢ１６０は、データをＵＥ１０２からＰＵＳＣＨ送信で受信する。ｅＮＢ  ＨＡＲＱ−ＡＣＫ生成モジュール１２５は、信号（例えば、データ）がＰＵＳＣＨで正しく受信されたか否かに基づいてＨＡＲＱ−ＡＣＫ情報を生成する。ｅＮＢ１６０は、１つ以上の符号語をＵＥ１０２からＰＵＳＣＨ送信で受信する。それゆえに、ｅＮＢ  ＨＡＲＱ−ＡＣＫ生成モジュール１２５は、各符号語に対応するＨＡＲＱ−ＡＣＫ情報を生成する。ｅＮＢ  ＨＡＲＱ−ＡＣＫ生成モジュール１２５は、ＰＵＳＣＨ送信で正しく受信されたパケットごとに肯定応答（ＡＣＫ：Ａｃｋｎｏｗｌｅｄｇｅｍｅｎｔ）ビットを生成する。他方、ｅＮＢ  ＨＡＲＱ−ＡＣＫ生成モジュール１２５は、ＰＵＳＣＨ送信で正しく受信されないパケットごとに否定応答（ＮＡＣＫ：Ｎｅｇａｔｉｖｅ  Ａｃｋｎｏｗｌｅｄｇｅｍｅｎｔ）ビットを生成する。１つの実装では、ＨＡＲＱ−ＡＣＫ情報は、ＥＰＨＩＣＨ上で送信される。
【００９７】
ＨＡＲＱ−ＡＣＫ情報を確定すると、ｅＮＢ  ＨＡＲＱ−ＡＣＫ生成モジュール１２５は、設定パラメータ１９４に基づいてＨＡＲＱ−ＡＣＫ情報を送信する。例えば、ｅＮＢ  ＨＡＲＱ−ＡＣＫ生成モジュール１２５は、設定信号１２３および／またはＥＰＨＩＣＨリソース・インジケータ１０７によって指示されるリソースを用いて、ＨＡＲＱ−ＡＣＫ情報をＵＥ１０２へ送信する。ＵＥ１０２からＰＵＳＣＨ送信で受信された各符号語に対応するＵＥ１０２へ１つ以上のＥＰＨＩＣＨが送信される。１つ以上のＥＰＨＩＣＨがＥＰＨＩＣＨグループに含められる。１つ以上のＥＰＨＩＣＨグループがＥＰＨＩＣＨグループ・セットに含められる。
【００９８】
設定信号１２３およびＥＰＨＩＣＨリソース・インジケータ１０７は、ＥＰＨＩＣＨ送信より前に送信される。例えば、ｅＮＢ１６０は、ＥＰＨＩＣＨリソース・インジケータ１０７を上りリンク・グラントとともに送信する。その後、ｅＮＢ１６０は、上りリンク・グラントに基づくＰＵＳＣＨ送信を受信し、設定信号１２３および／またはＥＰＨＩＣＨリソース・インジケータ１０７によって指示されたリソースを用いてＥＰＨＩＣＨを送信する。それゆえに、設定信号１２３および／またはＥＰＨＩＣＨリソース・インジケータ１０７は、ＥＰＨＩＣＨの送信に先立って送信される。
【００９９】
ｅＮＢオペレーション・モジュール１８２は、情報１９０を１つ以上の受信機１７８に提供する。例えば、ｅＮＢオペレーション・モジュール１８２は、設定パラメータ１９４に基づいて送信をいつ受信すべきか、あるいはいつすべきでないかを受信機（単数または複数）１７８に通知する。
【０１００】
ｅＮＢオペレーション・モジュール１８２は、情報１８８を復調器１７２に提供する。例えば、ｅＮＢオペレーション・モジュール１８２は、ＵＥ（単数または複数）１０２からの送信に予想される変調パターンを復調器１７２に通知する。
【０１０１】
ｅＮＢオペレーション・モジュール１８２は、情報１８６をデコーダ１６６に提供する。例えば、ｅＮＢオペレーション・モジュール１８２は、ＵＥ（単数または複数）１０２からの送信に予想される符号化法をデコーダ１６６に通知する。
【０１０２】
ｅＮＢオペレーション・モジュール１８２は、情報１０１をエンコーダ１０９に提供する。情報１０１は、符号化すべきデータおよび／または符号化に関する命令を含む。例えば、ｅＮＢオペレーション・モジュール１８２は、送信データ１０５および／または他の情報１０１を符号化するようにエンコーダ１０９に命令する。他の情報１０１は、設定信号１２３、ＥＰＨＩＣＨリソース・インジケータ１０７、およびｅＮＢ  ＨＡＲＱ−ＡＣＫ生成モジュール１２５によって生成されたＨＡＲＱ−ＡＣＫ情報を含む。
【０１０３】
エンコーダ１０９は、送信データ１０５および／またはｅＮＢオペレーション・モジュール１８２によって提供された他の情報１０１を符号化する。例えば、データ１０５および／または他の情報１０１の符号化は、誤り検出および／または訂正符号化、送信のための空間、時間および／または周波数リソースへのデータのマッピング、多重化などを伴う。エンコーダ１０９は、符号化データ１１１を変調器１１３へ供給する。送信データ１０５は、ＵＥ１０２へ伝えられることになるネットワークデータを含む。
【０１０４】
ｅＮＢオペレーション・モジュール１８２は、情報１０３を変調器１１３に提供する。この情報１０３は、変調器１１３に対する命令を含む。例えば、ｅＮＢオペレーション・モジュール１８２は、ＵＥ（単数または複数）１０２への送信に用いるための変調型（例えば、コンステレーション・マッピング）を変調器１１３に通知する。変調器１１３は、１つ以上の変調信号１１５を１つ以上の送信機１１７へ供給するために符号化データ１１１を変調する。
【０１０５】
ｅＮＢオペレーション・モジュール１８２は、情報１９２を１つ以上の送信機１１７に提供する。この情報１９２は、１つ以上の送信機１１７に対する命令を含む。例えば、ｅＮＢオペレーション・モジュール１８２は、信号をＵＥ（単数または複数）１０２へいつ送信すべきか（あるいはいつすべきでないか）を１つ以上の送信機１１７に命令する。１つ以上の送信機１１７は、１つ以上のＵＥ１０２へ変調信号（単数または複数）１１５をアップコンバートして送信する。
【０１０６】
１つ以上のＵＥ１０２のそれぞれは、１つ以上のトランシーバ１１８、１つ以上の復調器１１４、１つ以上のデコーダ１０８、１つ以上のエンコーダ１５０、１つ以上の変調器１５４、データバッファ１０４およびＵＥオペレーション・モジュール１２４を含む。例えば、ＵＥ１０２では１つ以上の受信および／または送信経路が実装される。便宜上、ＵＥ１０２では単一のトランシーバ１１８、デコーダ１０８、復調器１１４、エンコーダ１５０および変調器１５４だけが示されるが、複数の並列要素（例えば、トランシーバ１１８、デコーダ１０８、復調器１１４、エンコーダ１５０および変調器１５４）が実装されてもよい。
【０１０７】
トランシーバ１１８は、１つ以上の受信機１２０および１つ以上の送信機１５８を含む。１つ以上の受信機１２０は、１つ以上のアンテナ１２２ａ〜ｎを用いてｅＮＢ１６０から信号を受信する。例えば、受信機１２０は、１つ以上の受信信号１１６を作り出すために信号を受信してダウンコンバートする。１つ以上の受信信号１１６は、復調器１１４へ供給される。１つ以上の送信機１５８は、１つ以上のアンテナ１２２ａ〜ｎを用いてｅＮＢ１６０へ信号を送信する。例えば、１つ以上の送信機１５８は、１つ以上の変調信号１５６をアップコンバートして送信する。
【０１０８】
復調器１１４は、１つ以上の復調信号１１２を作り出すために１つ以上の受信信号１１６を復調する。１つ以上の復調信号１１２は、デコーダ１０８へ供給される。ＵＥ１０２は、信号を復号するためにデコーダ１０８を用いる。デコーダ１０８は、１つ以上の復号信号１０６、１１０を作り出す。例えば、第１のＵＥ復号信号１０６は、データバッファ１０４に記憶される、受信したペイロード・データを備える。第２のＵＥ復号信号１１０は、オーバーヘッド・データおよび／または制御データを備える。例えば、第２のＵＥ復号信号１１０は、１つ以上のオペレーションを行うためにＵＥオペレーション・モジュール１２４によって用いられるデータを供給する。
【０１０９】
一般に、ＵＥオペレーション・モジュール１２４は、ＵＥ１０２が１つ以上のｅＮＢ１６０と通信することを可能にする。ＵＥオペレーション・モジュール１２４は、設定パラメータ１２６、インタプリタ・モジュール１２８およびＵＥ  ＨＡＲＱ−ＡＣＫ確定モジュール１３４のうちの１つ以上を含む。１つの実装では、ＵＥオペレーション・モジュール１２４は、設定信号１３０を含む。別の実装では、ＵＥオペレーション・モジュール１２４は、ＥＰＨＩＣＨリソース・インジケータ１３２を含む。さらに別の実装では、ＵＥオペレーション・モジュール１２４は、設定信号１３０およびＥＰＨＩＣＨリソース・インジケータ１３２の両方を含む。
【０１１０】
１つの実装では、ＵＥ１０２は、ＥＰＨＩＣＨに関する設定信号１３０を受信する。ＵＥ１０２により受信される設定信号１３０は、ｅＮＢ１６０により送信された設定信号１２３であってもよい。別の実装では、ＵＥ１０２は、ＥＰＨＩＣＨリソース・インジケータ１０７を受信する。ＵＥ１０２により受信されるＥＰＨＩＣＨリソース・インジケータ１０７は、ｅＮＢ１６０により送信されたＥＰＨＩＣＨリソース・インジケータ１０７であってもよい。ＥＰＨＩＣＨリソース・インジケータ１０７は、ｅＮＢ１６０からの上りリンク・グラントと関連付けられる。
【０１１１】
インタプリタ・モジュール１２８は、設定信号１３０および／またはＥＰＨＩＣＨリソース・インジケータ１３２に基づいて設定パラメータ１２６を確定する。１つの実装では、インタプリタ・モジュール１２８は、設定信号１３０にのみ基づいて設定パラメータ１２６を確定する。別の実装では、インタプリタ・モジュール１２８は、ＥＰＨＩＣＨリソース・インジケータ１３２にのみ基づいて設定パラメータ１２６を確定する。さらに別の実装では、インタプリタ・モジュール１２８は、設定信号１３０およびＥＰＨＩＣＨリソース・インジケータ１３２の組み合わせに基づいて設定パラメータ１２６を確定する。
【０１１２】
設定パラメータ１２６は、ＥＰＨＩＣＨに用いられるリソースを指示する。設定パラメータ１２６は、ｅＮＢオペレーション・モジュール１８２によって確定される設定パラメータ１９４と同様である。例えば、設定パラメータ１２６は、ｅＮＢオペレーション・モジュール１８２によって確定されるＥＰＨＩＣＨに関する時間および周波数リソースについての情報を含む。設定パラメータ１２６は、１つ以上のＥＰＨＩＣＨグループを関連付けられたＥＰＨＩＣＨグループ・インデックスとともに含む。設定パラメータ１２６は、また、１つ以上のＥＰＨＩＣＨグループ・セットを関連付けられたＥＰＨＩＣＨグループ・セット・インデックスとともに含む。加えて、設定パラメータ１２６は、先に記載されたように、ＰＵＳＣＨ送信に関わるＤＭＲＳのベースシーケンスを生成するための第１のＶＣＩＤ、ＰＵＳＣＨ送信に関わるＤＭＲＳに対するサイクリックシフトを生成するための第２のＶＣＩＤ、１つ以上のＴＰＣパラメータ、およびＴＰＣインデックスを含む。
【０１１３】
ＵＥ１０２は、データをＰＵＳＣＨ送信で送る。ＵＥ１０２は、ｅＮＢ１６０から受信した上りリンク・グラントに基づいてデータをｅＮＢ１６０へ送信する。ＵＥ１０２は、ｅＮＢ１６０によりＨＡＲＱ−ＡＣＫ情報を生成するために用いられる１つ以上の符号語をＰＵＳＣＨ送信に含める。ＨＡＲＱ−ＡＣＫ情報は、ｅＮＢ１６０によりＵＥ１０２へ送信されるＥＰＨＩＣＨに含められる。
【０１１４】
ＵＥ  ＨＡＲＱ−ＡＣＫ確定モジュール１３４は、設定パラメータ１２６に基づいてＨＡＲＱ−ＡＣＫ情報を取得する。例えば、設定パラメータ１２６は、ＥＰＨＩＣＨ送信に用いられるリソースを指示する。これらのリソースを用いて、ＵＥ１０２は、１つ以上のＥＰＨＩＣＨを受信する。ＵＥ  ＨＡＲＱ−ＡＣＫ確定モジュール１３４は、ＨＡＲＱ−ＡＣＫ情報を取得するために、設定パラメータ１２６において指示されたリソースに基づいて１つ以上のＥＰＨＩＣＨに含まれる情報を復号する。ＨＡＲＱ−ＡＣＫ情報は、ＰＵＳＣＨ送信で送られたデータがｅＮＢ１６０により首尾よく受信されたか否かを指示する。ｅＮＢ１６０によりデータが受信されなかったことをＨＡＲＱ−ＡＣＫ情報が指示すれば（例えば、ＥＰＨＩＣＨがＮＡＣＫであれば）、ＵＥ１０２は、データをＰＵＳＣＨ送信でｅＮＢ１６０へ再送する。
【０１１５】
ＵＥオペレーション・モジュール１２４は、情報１４８を１つ以上の受信機１２０に提供する。例えば、ＵＥオペレーション・モジュール１２４は、上りリンク・グラントに基づいて送信をいつ受信すべきか、あるいはいつすべきでないかを受信機（単数または複数）１２０に通知する。
【０１１６】
ＵＥオペレーション・モジュール１２４は、情報１３８を復調器１１４に提供する。例えば、ＵＥオペレーション・モジュール１２４は、ｅＮＢ１６０からの送信に予想される変調パターンを復調器１１４に通知する。
【０１１７】
ＵＥオペレーション・モジュール１２４は、情報１３６をデコーダ１０８に提供する。例えば、ＵＥオペレーション・モジュール１２４は、ｅＮＢ１６０からの送信に予想される符号化法をデコーダ１０８に通知する。
【０１１８】
ＵＥオペレーション・モジュール１２４は、情報１４２をエンコーダ１５０に提供する。情報１４２は、符号化すべきデータおよび／または符号化に関する命令を含む。例えば、ＵＥオペレーション・モジュール１２４は、送信データ１４６および／または他の情報１４２を符号化するようにエンコーダ１５０に命令する。他の情報１４２は、ＰＵＳＣＨ送信で送られることになるデータ、または、データ送信がｅＮＢ１６０により首尾よく受信されなかったことを万一ＨＡＲＱ−ＡＣＫ情報が指示する場合には、再送信で送られることになるデータを含む。
【０１１９】
エンコーダ１５０は、送信データ１４６および／またはＵＥオペレーション・モジュール１２４によって提供された他の情報１４２を符号化する。例えば、データ１４６および／または他の情報１４２の符号化は、誤り検出および／または訂正符号化、送信のための空間、時間および／または周波数リソースへのデータのマッピング、多重化などを伴う。エンコーダ１５０は、符号化データ１５２を変調器１５４へ供給する。
【０１２０】
ＵＥオペレーション・モジュール１２４は、情報１４４を変調器１５４に提供する。例えば、ＵＥオペレーション・モジュール１２４は、ｅＮＢ１６０への送信に用いるための変調型（例えば、コンステレーション・マッピング）を変調器１５４に通知する。変調器１５４は、１つ以上の変調信号１５６を１つ以上の送信機１５８へ供給するために符号化データ１５２を変調する。
【０１２１】
ＵＥオペレーション・モジュール１２４は、情報１４０を１つ以上の送信機１５８に提供する。この情報１４０は、１つ以上の送信機１５８に対する命令を含む。例えば、ＵＥオペレーション・モジュール１２４は、信号をｅＮＢ１６０へいつ送信すべきかを１つ以上の送信機１５８に命令する。１つ以上の送信機１５８は、１つ以上のｅＮＢ１６０へ変調信号（単数または複数）１５６をアップコンバートして送信する。
【０１２２】
留意すべきは、ｅＮＢ（単数または複数）１６０およびＵＥ（単数または複数）１０２に含まれる要素またはその部分の１つ以上がハードウェアで実装されてもよいことである。例えば、これらの要素またはその部分の１つ以上は、チップ、回路素子またはハードウェア・コンポーネントなどとして実装されてもよい。同様に留意すべきは、本明細書に記載される機能または方法の１つ以上がハードウェアで実装されてもよく、および／またはハードウェアを用いて行われてもよいことである。例えば、本明細書に記載される方法の１つ以上は、チップセット、特定用途向け集積回路（ＡＳＩＣ：ａｐｐｌｉｃａｔｉｏｎ−ｓｐｅｃｉｆｉｃ  ｉｎｔｅｇｒａｔｅｄ  ｃｉｒｃｕｉｔ）、大規模集積回路（ＬＳＩ：ｌａｒｇｅ−ｓｃａｌｅ  ｉｎｔｅｇｒａｔｅｄ  ｃｉｒｃｕｉｔ）または集積回路などで実装されてもよく、および／またはそれらを用いて実現されてもよい。
【０１２３】
図２は、フィードバック情報を送信するための方法２００の一実装を示すフロー図である。ｅＮＢ１６０は、ＥＰＨＩＣＨに関する設定パラメータ１９４を確定する（ステップ２０２）。例えば、設定パラメータ１９４は、ＥＰＨＩＣＨに用いられる（時間、周波数、空間層、符号、スクランブルまたは拡散シーケンス・リソースの組み合わせを含んだ）リソースを指示する。設定パラメータ１９４は、ＥＰＨＩＣＨに関する時間および周波数リソースについての情報を含む。設定パラメータ１９４は、１つ以上のＥＰＨＩＣＨグループを関連付けられたＥＰＨＩＣＨグループ・インデックスとともに含む。設定パラメータ１９４は、また、１つ以上のＥＰＨＩＣＨグループ・セットを関連付けられたＥＰＨＩＣＨグループ・インデックスとともに含む。加えて、設定パラメータ１９４は、図１に関連して先に記載されたように、ＰＵＳＣＨ送信に関わるＤＭＲＳのベースシーケンスを生成するための第１のＶＣＩＤ、ＰＵＳＣＨ送信に関わるＤＭＲＳに対するサイクリックシフトを生成するための第２のＶＣＩＤ、１つ以上のＴＰＣパラメータ、およびＴＰＣインデックスを含む。
【０１２４】
ｅＮＢ１６０は、設定パラメータ１９４に基づいて設定信号１２３を送信する（ステップ２０４）。１つの実装では、設定信号１２３は、上位層シグナリング（例えば、ＳＩおよび／またはＲＲＣシグナリング）を含む。設定信号１２３は、設定パラメータ１９４をＵＥ１０２に伝える。例えば、設定信号１２３は、ＥＰＨＩＣＨ時間および／または周波数リソースが設定されているか否かを指示する情報要素を含む。設定信号１２３は、１つ以上のＥＰＨＩＣＨグループおよび関連付けられたＥＰＨＩＣＨグループ・インデックスを指示する情報要素も含む。加えて、設定信号１２３は、１つ以上のＥＰＨＩＣＨグループ・セットおよび関連付けられたＥＰＨＩＣＨグループ・セット・インデックスを指示する１つ以上の情報要素を含む。いくつかの実装において、設定信号１２３は、ＥＰＨＩＣＨが設定されていることを指示する。
【０１２５】
加えて、設定信号１２３は、設定パラメータ１９４間のリンケージを含む。設定信号１２３に含められる１つのリンケージは、１つのＥＰＨＩＣＨグループ・セットと１つ以上のＥＰＨＩＣＨグループまたはＥＰＨＩＣＨグループのリストとの間である。別のリンケージは、ＥＰＨＩＣＨグループとＥＰＨＩＣＨグループ・セットとの間である。別のリンケージは、ＥＰＨＩＣＨグループ・セットとＶＣＩＤ（例えば、ＰＵＳＣＨ送信に関わるＤＭＲＳのベースシーケンスを生成するための第１のＶＣＩＤ、および／またはＰＵＳＣＨ送信に関わるＤＭＲＳに対するサイクリックシフトを生成するための第２のＶＣＩＤ）との間である。別のリンケージは、ＥＰＨＩＣＨグループ・セットとＴＰＣインデックスとの間である。さらに別のリンケージは、ＶＣＩＤ（例えば、ＤＭＲＳセッティング）とＴＰＣインデックスとの間である。
【０１２６】
ｅＮＢ１６０は、データをＰＵＳＣＨで受信する（ステップ２０６）。このデータは、ＵＥ１０２から受信される（ステップ２０６）。ＰＵＳＣＨ送信は、ｅＮＢ１６０によりＵＥ１０２へ送信された上りリンク・グラントを通じてスケジュールされる。
【０１２７】
ｅＮＢ１６０は、設定パラメータ１９４に基づいてＨＡＲＱ−ＡＣＫ情報を送信する（ステップ２０８）。例えば、ｅＮＢ１６０は、設定信号１２３によって指示されたリソースを用いてＨＡＲＱ−ＡＣＫ情報をＵＥ１０２へ送信する（ステップ２０８）。ＨＡＲＱ−ＡＣＫ情報は、ＥＰＨＩＣＨに含められる。１つ以上のＥＰＨＩＣＨがＵＥ１０２からのＰＵＳＣＨ送信で受信された符号語（単数または複数）に対応するＵＥ１０２へ送信される（ステップ２０８）。１つ以上のＥＰＨＩＣＨがＥＰＨＩＣＨグループに含められる。１つ以上のＥＰＨＩＣＨグループがＥＰＨＩＣＨグループ・セットに含められる。
【０１２８】
図３は、フィードバック情報を受信するための方法３００の一実装を示すフロー図である。ＵＥ１０２は、ＥＰＨＩＣＨに関する設定信号１３０を受信する（ステップ３０２）。例えば、ＵＥ１０２により受信される設定信号１３０は、ｅＮＢ１６０により送信される。設定信号１３０は、上位層シグナリングを含む。いくつかの実装において、設定信号１２３は、ＥＰＨＩＣＨが設定されていることを指示する。
【０１２９】
ＵＥ１０２は、設定信号１３０に基づいて設定パラメータ１２６を確定する（ステップ３０４）。設定パラメータ１２６は、ＥＰＨＩＣＨに用いられるリソースを指示する。例えば、設定パラメータ１２６は、ＥＰＨＩＣＨに関する時間および周波数リソースについての情報を含む。設定パラメータ１２６は、１つ以上のＥＰＨＩＣＨグループを関連付けられたＥＰＨＩＣＨグループ・インデックスとともに含む。設定パラメータ１２６は、また、１つの以上のＥＰＨＩＣＨグループ・セットを関連付けられたＥＰＨＩＣＨグループ・セット・インデックスとともに含む。加えて、設定パラメータ１２６は、図１に関連して先に記載されたように、ＰＵＳＣＨ送信に関わるＤＭＲＳのベースシーケンスを生成するための第１のＶＣＩＤ、ＰＵＳＣＨ送信に関わるＤＭＲＳに対するサイクリックシフトを生成するための第２のＶＣＩＤ、１つ以上のＴＰＣパラメータ、およびＴＰＣインデックスを含む。
【０１３０】
ＵＥ１０２は、データをＰＵＳＣＨで送信する（ステップ３０６）。ＵＥ１０２は、ｅＮＢ１６０から受信した上りリンク・グラントに基づいてデータをｅＮＢへ送信する（ステップ３０６）。ＵＥ１０２は、ＨＡＲＱ−ＡＣＫ情報を生成するためにｅＮＢ１６０により用いられる１つ以上の符号語をＰＵＳＣＨ送信に含める。ＨＡＲＱ−ＡＣＫ情報は、ｅＮＢ１６０によりＵＥ１０２へ送信されるＥＰＨＩＣＨに含められる。
【０１３１】
ＵＥ１０２は、設定パラメータ１２６に基づいてＨＡＲＱ−ＡＣＫ情報を取得する（ステップ３０８）。例えば、設定パラメータ１２６は、ＥＰＨＩＣＨ送信に用いられるリソースを指示する。これらのリソースを用いて、ＵＥ１０２は、１つ以上のＥＰＨＩＣＨを受信する。従って、ＵＥ１０２は、ＨＡＲＱ−ＡＣＫ情報を取得する（ステップ３０８）ために、設定パラメータ１２６で指示されたリソースに基づいて１つ以上のＥＰＨＩＣＨに含まれる情報を復号する。ＨＡＲＱ−ＡＣＫ情報は、ＰＵＳＣＨ送信で送られた（ステップ３０６）データがｅＮＢ１６０により首尾よく受信されたか否かを指示する。ｅＮＢ１６０によりデータが首尾よく受信されなかったことをＨＡＲＱ−ＡＣＫ情報が指示すれば、ＵＥ１０２は、データをＰＵＳＣＨ送信で再送する。
【０１３２】
図４は、フィードバック情報を送信するための方法４００の別の実装を示すフロー図である。ｅＮＢ１６０は、ＥＰＨＩＣＨに関する設定パラメータ１９４を確定する（ステップ４０２）。これは、図２に関連して先に記載されたように行われる。
【０１３３】
ｅＮＢ１６０は、設定パラメータ１９４に基づいて上りリンク・グラントおよび関連付けられたＥＰＨＩＣＨリソース・インジケータ１０７を送信する（ステップ４０４）。例えば、ｅＮＢ１６０は、設定パラメータ１９４に基づいてＥＰＨＩＣＨリソース・インジケータ１０７を生成する。１つの実装では、ＥＰＨＩＣＨリソース・インジケータ１０７は、上りリンク・グラントに対応するＤＣＩにおけるフィールドである。上りリンク・グラントは、上りリンクチャネル１２１上の送信をスケジュールするためにｅＮＢ１６０からＵＥ１０２へ送信される（ステップ４０４）。
【０１３４】
ＥＰＨＩＣＨリソース・インジケータ１０７は、設定パラメータ１９４をＵＥ１０２へ伝える。例えば、ＥＰＨＩＣＨリソース・インジケータ１０７は、１つ以上のＥＰＨＩＣＨグループおよび関連付けられたＥＰＨＩＣＨグループ・インデックスを指示する。加えて、ＥＰＨＩＣＨリソース・インジケータ１０７は、１つ以上のＥＰＨＩＣＨグループ・セットおよび関連付けられたＥＰＨＩＣＨグループ・セット・インデックスを指示する。ＥＰＨＩＣＨグループ・インデックスは、ＰＵＳＣＨ物理リソースブロック（ＰＲＢ）番号、ＰＵＳＣＨ  ＤＭＲＳに対するサイクリックシフト・インデックスおよびｎＤＭＲＳパラメータのうちの１つ以上に基づいて指示される。
【０１３５】
ＥＰＨＩＣＨリソース・インジケータ１０７は、リソース・パラメータ間の様々な依存性も指示する。１つの実装では、ＥＰＨＩＣＨリソース・インジケータ１０７は、ＥＰＨＩＣＨグループ・セット・インデックスを（例として、ＵＥ１０２に）指示する。ＶＣＩＤおよびＴＰＣインデックスのうちの少なくとも１つは、ＥＰＨＩＣＨグループ・セット・インデックスへのリンケージに基づいて確定される。ＥＰＨＩＣＨリソース・インジケータ１０７は、ＰＵＳＣＨ送信に関わるＤＭＲＳのベースシーケンスを生成するための第１のＶＣＩＤ、および／またはＰＵＳＣＨ送信に関わるＤＭＲＳに対するサイクリックシフトを生成するための第２のＶＣＩＤのうちのいずれかまたは両方を確定するために用いられる。
【０１３６】
別の実装では、ＥＰＨＩＣＨリソース・インジケータ１０７は、ＴＰＣインデックスを指示する。ＶＣＩＤおよびＥＰＨＩＣＨグループ・セット・インデックスのうちの少なくとも１つは、ＴＰＣインデックスへのリンケージに基づいて確定される。ＴＰＣインデックスは、ＰＵＳＣＨ送信に関わるＤＭＲＳのベースシーケンスを生成するための第１のＶＣＩＤ、および／またはＰＵＳＣＨ送信に関わるＤＭＲＳに対するサイクリックシフトを生成するための第２のＶＣＩＤのうちのいずれかまたは両方を確定するために用いられる。
【０１３７】
さらに別の実装では、ＥＰＨＩＣＨリソース・インジケータ１０７は、１つ以上のＶＣＩＤを指示する。ＥＰＨＩＣＨリソース・インジケータ１０７は、ＰＵＳＣＨ送信に関わるＤＭＲＳのベースシーケンスを生成するための第１のＶＣＩＤ、および／またはＰＵＳＣＨ送信に関わるＤＭＲＳに対するサイクリックシフトを生成するための第２のＶＣＩＤのうちのいずれかまたは両方を指示する。ＴＰＣインデックスおよびＥＰＨＩＣＨグループ・セット・インデックスのうちの少なくとも１つは、１つ以上のＶＣＩＤへのリンケージに基づいて確定される。
【０１３８】
ＥＰＨＩＣＨリソース・インジケータ１０７は、設定セットも指示する。設定セットは、１つのＥＰＨＩＣＨグループ・セット、１つのＴＰＣインデックス、およびＶＣＩＤを含む。それゆえに、設定セットを指示することによって、ＥＰＨＩＣＨリソース・インジケータ１０７は、関連付けられたＥＰＨＩＣＨグループ・セット、ＴＰＣインデックスおよびＶＣＩＤを指示できる。
【０１３９】
ｅＮＢ１６０は、データをＰＵＳＣＨで受信する（ステップ４０６）。このデータは、ＵＥ１０２から受信される（ステップ４０６）。ＰＵＳＣＨ送信は、ｅＮＢ１６０によりＵＥ１０２へ送信された上りリンク・グラントを通じてスケジュールされる。
【０１４０】
ｅＮＢ１６０は、設定パラメータ１９４に基づいてＨＡＲＱ−ＡＣＫ情報を送信する（ステップ４０８）。これは、図２に関連して先に記載されたように行われる。
【０１４１】
図５は、フィードバック情報を受信するための方法５００の別の実装を示すフロー図である。ＵＥ１０２は、上りリンク・グラントおよび関連付けられたＥＰＨＩＣＨリソース・インジケータ１３２を受信する（ステップ５０２）。例えば、ＥＰＨＩＣＨリソース・インジケータ１３２は、図４に関連して先に記載されたように（例として、ｅＮＢ１６０によって）生成される。１つの実装では、ＥＰＨＩＣＨリソース・インジケータ１３２は、上りリンク・グラントに対応するＤＣＩにおけるフィールドである。上りリンク・グラントは、上りリンクチャネル１２１上の送信をスケジュールするためにｅＮＢ１６０からＵＥ１０２へ送信される。
【０１４２】
ＵＥ１０２は、ＥＰＨＩＣＨリソース・インジケータ１３２に基づいて設定パラメータ１２６を確定する（ステップ５０４）。ＥＰＨＩＣＨリソース・インジケータ１３２は、図４に関連して先に記載されたように設定パラメータ１２６をＵＥ１０２に伝える。
【０１４３】
設定パラメータ１２６は、ＥＰＨＩＣＨに用いられるリソースを指示する。設定パラメータ１２６は、ＥＰＨＩＣＨに関する時間および周波数リソースについての情報を含む。例えば、設定パラメータ１２６は、１つの以上のＥＰＨＩＣＨグループを関連付けられたＥＰＨＩＣＨグループ・インデックスとともに含む。設定パラメータ１２６は、また、１つ以上のＥＰＨＩＣＨグループ・セットを関連付けられたＥＰＨＩＣＨグループ・セット・インデックスとともに含む。加えて、設定パラメータ１２６は、図１に関連して先に記載されたように、ＰＵＳＣＨ送信に関わるＤＭＲＳのベースシーケンスを生成するための第１のＶＣＩＤ、ＰＵＳＣＨ送信に関わるＤＭＲＳに対するサイクリックシフトを生成するための第２のＶＣＩＤ、１つ以上のＴＰＣパラメータ、およびＴＰＣインデックスを含む。
【０１４４】
ＵＥ１０２は、データをＰＵＳＣＨで送信する（ステップ５０６）。これは、図３に関連して先に記載されたように達成される。
【０１４５】
ＵＥ１０２は、設定パラメータ１２６に基づいてＨＡＲＱ−ＡＣＫ情報を取得する（ステップ５０８）。これは、図３に関連して先に記載されたように達成される。
【０１４６】
図６は、ＥＰＨＩＣＨグループ・セットの例を示すブロック図である。図１に関連して先に記載されたように、ＥＰＨＩＣＨは、ＰＵＳＣＨ送信に対応するＨＡＲＱ−ＡＣＫ情報を伝える。複数のＥＰＨＩＣＨは、ＥＰＨＩＣＨグループを構成する。例えば、リソース要素の同じセットにマッピングされた複数のＥＰＨＩＣＨがＥＰＨＩＣＨグループを構成する。ＥＰＨＩＣＨ時間および／または周波数リソースは、いくつかの重なり合わないグループに（ｅＮＢ１６０によって）区分される。ＥＰＨＩＣＨグループは、１つ以上のＥＰＨＩＣＨグループ・セットとさらに関連付けられる。ＥＰＨＩＣＨグループ・セットは、重なり合ってもよい（例えば、複数のＥＰＨＩＣＨグループ・セットが１つ以上の同じＥＰＨＩＣＨグループを含んでもよい）。
【０１４７】
ＥＰＨＩＣＨグループ・セットは、図６に示されるように異なるＥＰＨＩＣＨ時間および周波数リソースを利用する。例えば、ＥＰＨＩＣＨグループは、１つ以上のリソース・セット６３１ａ〜ｇと関連付けられる。リソース・セット６３１は、１つ以上のリソース要素（例えば、時間−周波数リソースのユニット）を含む。これらの時間および周波数リソースがある１つの無線サブフレームに対応する。サブフレームは、１ミリ秒に及ぶ。時間リソースは、２つのスロット６２９に分割される。
【０１４８】
ＥＰＨＩＣＨグループ・セットの一例では、セット１が３つのＥＰＨＩＣＨグループを含む。セット１のグループ１は、リソース・セットＡ６３１ａおよびリソース・セットＢ６３１ｂを含む。リソース・セットＡ６３１ａは第１のスロット６２９ａにあり、リソース・セットＢ６３１ｂは第２のスロット６２９ｂにある。セット１のグループ１は、非連続である。非連続グループは、１つ以上のリソース要素によって分離されるか、および／または異なるスロットにある。例えば、セット１のグループ１は、リソースの一部が第１のスロットにあり、リソースの一部が第２のスロットにあるので非連続であり、いくつかのリソース要素が２つのグループを分離する。セット１のグループ３は、連続リソースの例である。セット１のグループ２は、第２のスロット６２９ｂにおいてリソース・セットＣ６３１ｃと関連付けられる。セット１のグループ３は、第１のスロット６２９ａにおいてリソース・セットＤ６３１ｄと関連付けられる。セット１の複数のＥＰＨＩＣＨグループは、異なる時間および周波数リソースを用いるが、同じＥＰＨＩＣＨグループ・セット６３１と関連付けられることに留意すべきである。
【０１４９】
ＥＰＨＩＣＨグループ・セットの別の例では、セット２が２つのＥＰＨＩＣＨグループを含む。セット２のグループ１は、第１の時間スロット６２９ａにおいてリソース・セットＥ６３１ｅと関連付けられる。セット２のグループ２は、第２のスロット６２９ｂにおいてリソース・セットＦ６３１ｆと関連付けられる。留意すべきは、セット２のグループ１がセット１のグループ１と重なり合う（例えば、セット１およびセット２が重なり合う）ことである。言い換えれば、リソース・セットＡ６３１ａがリソース・セットＥ６３１ｅと重なり合う。しかしながら、同じＥＰＨＩＣＨグループ・セットにおけるＥＰＨＩＣＨグループは重なり合わない。それゆえに、複数のＥＰＨＩＣＨグループ・セットが１つ以上の同じＥＰＨＩＣＨを含みうる。
【０１５０】
ＥＰＨＩＣＨグループ・セットのさらに別の例では、セット３が１つのＥＰＨＩＣＨグループを含む。セット３のグループ１は、第１のスロット６２９ａにおいてリソース・セットＧ６３１ｇと関連付けられる。セット３は、ＥＰＨＩＣＨグループ・セットが１つのＥＰＨＩＣＨグループを含むことを示す。
【０１５１】
ＥＰＨＩＣＨグループおよびＥＰＨＩＣＨグループ・セットは、設定パラメータ１２６、１９４の組み合わせを通じて指示される。これは、図１に関連して先に記載されたように達成される。
【０１５２】
図７は、ＥＰＨＩＣＨグループ７３９のシグナリングの一実装を示すブロック図である。この実装では、４つのＥＰＨＩＣＨグループ７３９ａ〜ｄがそれぞれ８つのＥＰＨＩＣＨ７３７を含む。１つのＥＰＨＩＣＨグループ７３９で複数のＥＰＨＩＣＨ７３７が多重され、各ＥＰＨＩＣＨ７３７は、他のＥＰＨＩＣＨ７３７により同じＥＰＨＩＣＨグループ７３９内で用いられるシーケンスとは直交するＥＰＨＩＣＨシーケンスを用いる。ＥＰＨＩＣＨシーケンスは、ＥＰＨＩＣＨ７３７をＥＰＨＩＣＨグループ７３９の時間および／または周波数リソースのすべてまたはいくつかにわたって拡散させる。
【０１５３】
特定のＥＰＨＩＣＨ７３７は、ＥＰＨＩＣＨシーケンス番号７４３（例えば、ＥＰＨＩＣＨシーケンス・インデックス）およびＥＰＨＩＣＨグループ番号７４５（例えば、ＥＰＨＩＣＨグループ・インデックス）を含むインデックス対によって指示される。設定パラメータ７４１ａ〜ｂの異なる組み合わせがＥＰＨＩＣＨシーケンス番号７４３およびＥＰＨＩＣＨグループ番号７４５を指示する。例えば、ＰＵＳＣＨ  ＰＲＢ番号、ＤＭＲＳのサイクリックシフトおよび／またはｎＤＭＲＳパラメータの異なる組み合わせを通じて、ＥＰＨＩＣＨシーケンス番号７４３およびＥＰＨＩＣＨグループ番号７４５が指示される。１つの実装では、ＰＵＳＣＨの最低ＰＲＢインデックスがＥＰＨＩＣＨグループ番号７４５を指示する。ＥＰＨＩＣＨシーケンス番号７４３およびＥＰＨＩＣＨグループ番号７４５を生成するために他の設定パラメータ７４１も用いられてよい。１つの実装では、図１と関連して先に記載されたように、設定パラメータ１２６、１９４の組み合わせを通じてＥＰＨＩＣＨグループ７３９ａ〜ｄが指示される。
【０１５４】
１つの実装では、ＥＰＨＩＣＨシーケンス番号７４３およびＥＰＨＩＣＨグループ番号７４５がｅＮＢ１６０によって生成される。ＥＰＨＩＣＨシーケンス番号７４３およびＥＰＨＩＣＨグループ番号７４５は、設定信号１２３および／またはＥＰＨＩＣＨリソース・インジケータ１０７をＵＥ１０２へ送信することによってシグナリングされる。
【０１５５】
図８は、送信電力制御（ＴＰＣ）インデックス８４７、ＶＣＩＤ８４９およびＥＰＨＩＣＨグループ・セット８５１のシグナリングの一実装を示すブロック図である。この実装では、ＴＰＣインデックス８４７がシグナリングされる。そのうえ、ＶＣＩＤ８４９およびＥＰＨＩＣＨグループ・セット８５１は、リンケージ８５５、８５７に基づいて確定される。例えば、複数のＴＰＣインデックス８４７ａ〜ｃ、ＶＣＩＤ８４９ａ〜ｃおよびＥＰＨＩＣＨグループ・セット８５１ａ〜ｃが設定される。図１に関連して先に記載されたように、ＶＣＩＤ８４９は、ＰＵＳＣＨ  ＤＭＲＳを生成するために用いられる。ＥＰＨＩＣＨグループ・セット８５１は、１つ以上のＥＰＨＩＣＨ８３７および１つ以上のＥＰＨＩＣＨグループ８３９を含む。
【０１５６】
ＴＰＣインデックス８４７、ＶＣＩＤ８４９およびＥＰＨＩＣＨグループ・セット８５１は、リンケージ８５５ａ〜ｃおよび８５７ａ〜ｃを通じて関連付けられる。例えば、第１のＴＰＣインデックス８４７ａおよび第１のＶＣＩＤ８４９ａは、第１のリンケージ８５５ａと関連付けられる。第１のＶＣＩＤ８４９ａおよび第１のＥＰＨＩＣＨグループ・セット８５１ａは、第２のリンケージ８５７ａと関連付けられる。１つの実装では、図１に関連して先に記載されたように、ＴＰＣインデックス８４７、ＶＣＩＤ８４９、ＥＰＨＩＣＨグループ・セット８５１およびリンケージ８５５、８５７が設定パラメータ１２６、１９４の組み合わせを通じて指示される。
【０１５７】
この実装では、ＴＰＣインデックス８４７が設定パラメータ８４１に基づいて指示される。設定パラメータ８４１は、ｅＮＢ１６０により確定され、設定信号１２３、ＥＰＨＩＣＨリソース・インジケータ１０７、または設定信号１２３およびＥＰＨＩＣＨリソース・インジケータ１０７の組み合わせを用いてＵＥ１０２へ送信される。例えば、ＥＰＨＩＣＨリソース・インジケータ１０７のＤＣＩビットがＴＰＳインデックス８４７を動的に選択する。
【０１５８】
指示されたＴＰＣインデックス８４７を確定すると、関連付けられたＶＣＩＤ８４９およびＥＰＨＩＣＨグループ・セット８５１がリンケージ８５５、８５７に基づいて確定される。例えば、第１のＴＰＣインデックス８４７ａが設定パラメータ８４１によって指示されれば、第１のＶＣＩＤ８４９ａは、第１のリンケージ８５５ａによって指示され、第１のＥＰＨＩＣＨグループ・セット８５１ａは、第２のリンケージ８５７ａによって指示される。
【０１５９】
図９は、ＴＰＣインデックス９４７、ＶＣＩＤ９４９およびＥＰＨＩＣＨグループ・セット９５１のシグナリングの別の実装を示すブロック図である。この実装では、ＶＣＩＤ９４９がシグナリングされ、ＴＰＣインデックス９４７およびＥＰＨＩＣＨグループ・セット９５１は、リンケージ９５５、９５７に基づいて確定される。例えば、複数のＴＰＣインデックス９４７ａ〜ｃ、ＶＣＩＤ９４９ａ〜ｃおよびＥＰＨＩＣＨグループ・セット９５１ａ〜ｃが設定される。ＥＰＨＩＣＨグループ・セット９５１は、１つ以上のＥＰＨＩＣＨ９３７および１つ以上のＥＰＨＩＣＨグループ９３９を含む。
【０１６０】
ＴＰＣインデックス９４７、ＶＣＩＤ９４９およびＥＰＨＩＣＨグループ・セット９５１は、リンケージ９５５ａ〜ｃ、９５７ａ〜ｃを通じて関連付けられる。例えば、第１のＶＣＩＤ９４９ａおよび第１のＴＰＣインデックス９４７ａは、第１のリンケージ９５５ａと関連付けられる。第１のＶＣＩＤ９４９ａおよび第１のＥＰＨＩＣＨグループ・セット９５１ａは、第２のリンケージ９５７ａと関連付けられる。１つの実装では、図１に関連して先に記載されたように、ＴＰＣインデックス９４７、ＶＣＩＤ９４９、ＥＰＨＩＣＨグループ・セット９５１およびリンケージ９５５、９５７が設定パラメータ１２６、１９４の組み合わせを通じて指示される。
【０１６１】
この実装では、ＶＣＩＤ９４９が設定パラメータ９４１に基づいて指示される。設定パラメータ９４１は、ｅＮＢ１６０により確定され、設定信号１２３、ＥＰＨＩＣＨリソース・インジケータ１０７、または設定信号１２３およびＥＰＨＩＣＨリソース・インジケータ１０７の組み合わせを用いてＵＥ１０２へ送信される。例えば、ＥＰＨＩＣＨリソース・インジケータ１０７のＤＣＩビットがＶＣＩＤ９４９ａを動的に選択する。
【０１６２】
指示されたＶＣＩＤ９４９を確定すると、関連付けられたＴＰＣインデックス９４７およびＥＰＨＩＣＨグループ・セット９５１がリンケージ９５５、９５７に基づいて確定される。例えば、第１のＶＣＩＤ９４９ａが設定パラメータ９４１によって指示されれば、第１のＴＰＣインデックス９４７ａは、第１のリンケージ９５５ａによって指示され、第１のＥＰＨＩＣＨグループ・セット９５１ａは、第２のリンケージ９５７ａによって指示される。
【０１６３】
図１０は、ＴＰＣインデックス１０４７、ＶＣＩＤ１０４９およびＥＰＨＩＣＨグループ・セット１０５１のシグナリングのさらに別の実装を示すブロック図である。この実装では、ＥＰＨＩＣＨグループ・セット１０５１がシグナリングされ、ＴＰＣインデックス１０４７およびＶＣＩＤ１０４９は、リンケージ１０５５、１０５７に基づいて確定される。例えば、複数のＴＰＣインデックス１０４７ａ〜ｃ、ＶＣＩＤ１０４９ａ〜ｃおよびＥＰＨＩＣＨグループ・セット１０５１ａ〜ｃが設定される。ＥＰＨＩＣＨグループ・セット１０５１は、１つ以上のＥＰＨＩＣＨ１０３７および１つ以上のＥＰＨＩＣＨグループ１０３９を含む。
【０１６４】
ＴＰＣインデックス１０４７、ＶＣＩＤ１０４９およびＥＰＨＩＣＨグループ・セット１０５１は、リンケージ１０５５ａ〜ｃ、１０５７ａ〜ｃを通じて関連付けられる。例えば、第１のＶＣＩＤ１０４９ａおよび第１のＴＰＣインデックス１０４７ａは、第１のリンケージ１０５５ａと関連付けられる。第１のＶＣＩＤ１０４９ａおよび第１のＥＰＨＩＣＨグループ・セット１０５１ａは、第２のリンケージ１０５７ａと関連付けられる。１つの実装では、図１に関連して先に記載されたように、ＴＰＣインデックス１０４７、ＶＣＩＤ１０４９、ＥＰＨＩＣＨグループ・セット１０５１およびリンケージ１０５５、１０５７が設定パラメータ１２６、１９４の組み合わせを通じて指示される。
【０１６５】
この実装では、ＥＰＨＩＣＨグループ・セット１０５１が設定パラメータ１０４１に基づいて指示される。設定パラメータ１０４１は、ｅＮＢ１６０により確定され、設定信号１２３、ＥＰＨＩＣＨリソース・インジケータ１０７、または設定信号１２３およびＥＰＨＩＣＨリソース・インジケータ１０７の組み合わせを用いてＵＥ１０２へ送信される。例えば、ＥＰＨＩＣＨリソース・インジケータ１０７のＤＣＩビットがＥＰＨＩＣＨグループ・セット１０５１を動的に選択する。
【０１６６】
指示されたＥＰＨＩＣＨグループ・セット１０５１を確定すると、関連付けられたＶＣＩＤ１０４９およびＴＰＣインデックス１０４７がリンケージ１０５５、１０５７に基づいて確定される。例えば、第１のＥＰＨＩＣＨグループ・セット１０５１ａが設定パラメータ１０４１によって指示されれば、第１のＴＰＣインデックス１０４７ａは、第１のリンケージ１０５５ａによって指示され、第１のＶＣＩＤ１０４９ａは、第２のリンケージ１０５７ａによって指示される。
【０１６７】
図１１は、ＴＰＣインデックス１１４７、ＶＣＩＤ１１４９およびＥＰＨＩＣＨグループ・セット１１５１のうちの少なくとも１つを含む設定セット１１５３のシグナリングの一実装を示すブロック図である。この実装では、複数のＴＰＣインデックス１１４７ａ〜ｃ、ＶＣＩＤ１１４９ａ〜ｃおよびＥＰＨＩＣＨグループ・セット１１５１ａ〜ｃが設定される。ＥＰＨＩＣＨグループ・セット１１５１は、１つ以上のＥＰＨＩＣＨ１１３７および１つ以上のＥＰＨＩＣＨグループ１１３９を含む。ＴＰＣインデックス１１４７、ＶＣＩＤ１１４９およびＥＰＨＩＣＨグループ・セット１１５１は、設定セット１１５３と関連付けられる。１つの実装では、図１に関連して先に記載されたように、ＴＰＣインデックス１１４７、ＶＣＩＤ１１４９およびＥＰＨＩＣＨグループ・セット１１５１が設定パラメータ１２６、１９４の組み合わせを通じて指示される。
【０１６８】
この実装では、設定セット１１５３が設定パラメータ１１４１に基づいて指示される。設定パラメータ１１４１は、ｅＮＢ１６０により確定され、設定信号１２３、ＥＰＨＩＣＨリソース・インジケータ１０７、または設定信号１２３およびＥＰＨＩＣＨリソース・インジケータ１０７の組み合わせを用いてＵＥ１０２へ送信される。例えば、ＥＰＨＩＣＨリソース・インジケータ１０７のＤＣＩビットが設定セット１１５３を動的に選択する。
【０１６９】
指示された設定セット１１５３を確定すると、関連付けられたＴＰＣインデックス１１４７、ＶＣＩＤ１１４９およびＥＰＨＩＣＨグループ・セット１１５１が確定される。例えば、設定セット１１５３ａ〜ｃのうちの１つが設定パラメータ１１４１によってシグナリングされる。第１の設定セット１１５３ａが設定パラメータ１１４１によって指示されれば、第１のＴＰＣインデックス１１４７ａ、第１のＶＣＩＤ１１４９ａおよび第１のＥＰＨＩＣＨグループ・セット１１５１ａもそれらの第１の設定セット１１５３ａとの関連付けに基づいて指示される。
【０１７０】
図１２は、ｅＮＢ１６０およびＵＥ１０２によるＥＰＨＩＣＨリソース・シグナリングの一例を示すスレッド図である。図１２に示されるｅＮＢ１６０およびＵＥ１０２は、図１に関連して先に記載されたｅＮＢ１６０およびＵＥ１０２と同様である。ｅＮＢ１６０は、ＥＰＨＩＣＨに関する設定パラメータ１９４を確定する（ステップ１２０２）。これは、図２に関連して先に記載されたように行われる。ｅＮＢ１６０は、設定パラメータ１９４に基づいて設定信号１２３をＵＥ１０２へ送信する（ステップ１２０４）。設定信号１２３は、ＥＰＨＩＣＨ、ＶＣＩＤ、ＤＭＲＳおよびＴＰＣのうちの少なくとも１つと関連付けられたリソースの構成を指示する。
【０１７１】
ｅＮＢ１６０は、設定パラメータ１９４に基づいて上りリンク・グラントおよび関連付けられたＥＰＨＩＣＨリソース・インジケータ１０７をＵＥ１０２へ送信する（ステップ１２０６）。これは、図４に関連して先に記載されたように行われる。ＥＰＨＩＣＨリソース・インジケータ１０７は、設定信号１２３と同じときに送信される（ステップ１２０６）か、またはＥＰＨＩＣＨリソース・インジケータ１０７は、設定信号１２３の後に送信される（ステップ１２０６）。
【０１７２】
上りリンク・グラントおよび関連付けられたＥＰＨＩＣＨリソース・インジケータ１３２を受信すると、ＵＥ１０２は、ＥＰＨＩＣＨリソース・インジケータ１３２に基づいて設定パラメータ１２６を確定する（ステップ１２０８）。設定パラメータ１２６は、ＥＰＨＩＣＨに用いられるリソースを指示する。設定パラメータ１２６は、ＥＰＨＩＣＨに関する時間および周波数リソースについての情報を含む。例えば、設定パラメータ１２６は、１つ以上のＥＰＨＩＣＨグループとともに関連付けられたＥＰＨＩＣＨグループ・インデックスを含む。設定パラメータ１２６は、また、１つ以上のＥＰＨＩＣＨグループ・セットとともに関連付けられたＥＰＨＩＣＨグループ・セット・インデックスを含む。加えて、設定パラメータ１２６は、図１に関連して先に記載されたように、ＰＵＳＣＨ送信に関わるＤＭＲＳのベースシーケンスを生成するための第１のＶＣＩＤ、ＰＵＳＣＨ送信に関わるＤＭＲＳに対するサイクリックシフトを生成するための第２のＶＣＩＤ、１つ以上のＴＰＣパラメータ、およびＴＰＣインデックスを含む。
【０１７３】
ＵＥ１０２は、データをＰＵＳＣＨで送信する（ステップ１２１０）。ＵＥ１０２は、ｅＮＢ１６０から受信した上りリンク・グラントに基づいてデータをｅＮＢ１６０へ送信する（ステップ１２１０）。例えば、ＵＥ１０２は、ｅＮＢ１６０によりＨＡＲＱ−ＡＣＫ情報を生成する（ステップ１２１２）ために用いられる１つ以上の符号語をＰＵＳＣＨ送信に含める。
【０１７４】
ＵＥ１０２からＰＵＳＣＨ送信を受信すると、ｅＮＢ１６０は、ＨＡＲＱ−ＡＣＫ情報を生成する（ステップ１２１２）。例えば、ｅＮＢ１６０は、ＰＵＳＣＨ送信で正しく受信されたパケットごとに肯定応答（ＡＣＫ）ビットを生成する（ステップ１２１２）。他方、ｅＮＢ１６０は、ＰＵＳＣＨ送信で正しく受信されないパケットごとに否定応答（ＮＡＣＫ）ビットを生成する（ステップ１２１２）。
【０１７５】
ＨＡＲＱ−ＡＣＫ情報を生成する（ステップ１２１２）と、ｅＮＢ１６０は、設定パラメータ１９４に基づいてＨＡＲＱ−ＡＣＫ情報を送信する（ステップ１２１４）。例えば、ｅＮＢ１６０は、ＥＰＨＩＣＨリソース・インジケータ１０７（および／または設定信号１２３）によって指示されたリソースを用いて、ＨＡＲＱ−ＡＣＫ情報をＵＥ１０２へ送信する（ステップ１２１４）。ＨＡＲＱ−ＡＣＫ情報は、ＥＰＨＩＣＨに含められる。ＵＥ１０２からＰＵＳＣＨ送信で受信された各符号語に対応するＵＥ１０２へ１つ以上のＥＰＨＩＣＨが送信される（ステップ１２１４）。１つ以上のＥＰＨＩＣＨがＥＰＨＩＣＨグループに含められる。１つ以上のＥＰＨＩＣＨグループがＥＰＨＩＣＨグループ・セットに含められる。
【０１７６】
ＨＡＲＱ−ＡＣＫ情報をｅＮＢ１６０から受信すると、ＵＥ１０２は、設定パラメータ１２６に基づいてＨＡＲＱ−ＡＣＫ情報を取得する（ステップ１２１６）。例えば、設定パラメータ１２６は、ＥＰＨＩＣＨ送信に用いられるリソースを指示する。これらのリソースを用いて、ＵＥ１０２は、１つ以上のＥＰＨＩＣＨを受信する。それに応じて、ＵＥ１０２は、ＨＡＲＱ−ＡＣＫ情報を取得する（ステップ１２１６）ために、１つ以上のＥＰＨＩＣＨに含まれる情報を設定パラメータ１２６で指示されたリソースに基づいて復号する。ＨＡＲＱ−ＡＣＫ情報は、ＵＥ１０２によりＰＵＳＣＨ送信で送られたデータがｅＮＢ１６０により首尾よく受信されたか否かを指示する。ｅＮＢ１６０によりデータが首尾よく受信されなかったことをＨＡＲＱ−ＡＣＫ情報が指示すれば、ＵＥ１０２は、データを別のＰＵＳＣＨ送信で再送する（ステップ１２１８）。
【０１７７】
図１２に示されるメッセージの流れに少なくとも「ｋ」ミリ秒のラウンドトリップ時間があることに留意すべきである。ＦＤＤ構成では、「ｋ」は通常４ミリ秒である。ＵＥ１０２が上りリンク・グラントをサブフレーム「ｎ」で受信すれば、ＵＥ１０２は、ＰＵＳＣＨをサブフレーム「ｎ＋ｋ」で送信するようにスケジュールされる。ｅＮＢ１６０は、ＰＵＳＣＨ送信に対するＨＡＲＱ−ＡＣＫ情報をもつＥＰＨＩＣＨを供給する。ＵＥ１０２が複数の符号語をＰＵＳＣＨ送信で送れば、複数のＥＰＨＩＣＨがＵＥ１０２へ供給される。ＵＥ１０２がＰＵＳＣＨをサブフレーム「ｎ＋ｋ」で一旦送信すると、ＵＥ１０２は、上りリンク・グラントおよび／またはＥＰＨＩＣＨをサブフレーム「ｎ＋ｋ＋ｋ」でモニタする。それゆえに、ＥＰＨＩＣＨリソース・インジケータ１０７（例えば、上りリンク・グラントに対応するＤＣＩ）は、（ＨＡＲＱ−ＡＣＫ情報をもつ）ＥＰＨＩＣＨの送信（ステップ１２１４）に先立って送信される（ステップ１２０６）。図１２は、ＵＬ送信手順の一例であるが、示されていないいくつかの変形形態がある。
【０１７８】
図１３は、ＵＥ１３０２において利用される様々なコンポーネントを示す。図１３に関連して記載されるＵＥ１３０２は、図１に関連して記載されたＵＥ１０２に従って実装される。ＵＥ１３０２は、ＵＥ１３０２のオペレーションを制御するプロセッサ１３６３を含む。プロセッサ１３６３は、中央処理装置（ＣＰＵ：ｃｅｎｔｒａｌ  ｐｒｏｃｅｓｓｉｎｇ  ｕｎｉｔ）とも呼ばれる。メモリ１３６９は、リードオンリメモリ（ＲＯＭ：ｒｅａｄ−ｏｎｌｙ  ｍｅｍｏｒｙ）、ランダムアクセスメモリ（ＲＡＭ：ｒａｎｄｏｍ  ａｃｃｅｓｓ  ｍｅｍｏｒｙ）、これら２つの組み合わせ、あるいは情報を記憶する任意のタイプのデバイスを含み、プロセッサ１３６３に命令１３６５ａおよびデータ１３６７ａを供給する。メモリ１３６９の一部分は、不揮発性ランダムアクセスメモリ（ＮＶＲＡＭ：ｎｏｎ−ｖｏｌａｔｉｌｅ  ｒａｎｄｏｍ  ａｃｃｅｓｓ  ｍｅｍｏｒｙ）も含んでよい。命令１３６５ｂおよびデータ１３６７ｂは、プロセッサ１３６３にも存在する。プロセッサ１３６３に読み込まれた命令１３６５ｂおよび／またはデータ１３６７ｂは、プロセッサ１３６３による実行または処理のために読み込まれた、メモリ１３６９からの命令１３６５ａおよび／またはデータ１３６７ａも含んでよい。命令１３６５ｂは、上記の方法３００、５００のうちの１つ以上を実装するためにプロセッサ１３６３によって実行される。
【０１７９】
ＵＥ１３０２は、データの送受信を可能にするための１つ以上の送信機１３５８および１つ以上の受信機１３２０が入った筺体も含む。送信機（単数または複数）１３５８および受信機（単数または複数）１３２０は、１つ以上のトランシーバ１３１８に組み合わされてもよい。１つ以上のアンテナ１３２２ａ〜ｎは、筺体に取り付けられて、トランシーバ１３１８に電気的に結合される。
【０１８０】
ＵＥ１３０２の様々なコンポーネントは、データバスに加えて、電力バス、制御信号バスおよびステータス信号バスを含む、バスシステム１３７１によって結合される。しかしながら、明確さのために、図１３では様々なバスがバスシステム１３７１として示される。ＵＥ１３０２は、信号処理用のデジタル信号プロセッサ（ＤＳＰ：ｄｉｇｉｔａｌ  ｓｉｇｎａｌ  ｐｒｏｃｅｓｓｏｒ）１３７３も含んでよい。ＵＥ１３０２は、ＵＥ１３０２の機能へのユーザ・アクセスを提供する通信インターフェース１３７５も含んでよい。図１３に示されるＵＥ１３０２は、具体的なコンポーネントのリスティングではなく、機能ブロック図である。
【０１８１】
図１４は、ｅＮＢ１４６０において利用される様々なコンポーネントを示す。図１４に関連して記載されるｅＮＢ１４６０は、図１に関連して記載されたｅＮＢ１６０に従って実装される。ｅＮＢ１４６０は、ｅＮＢ１４６０のオペレーションを制御するプロセッサ１４７７を含む。プロセッサ１４７７は、中央処理装置（ＣＰＵ）とも呼ばれる。メモリ１４８３は、リードオンリメモリ（ＲＯＭ）、ランダムアクセスメモリ（ＲＡＭ）、これら２つの組み合わせ、あるいは情報を記憶する任意のタイプのデバイスを含み、プロセッサ１４７７に命令１４７９ａおよびデータ１４８１ａを供給する。メモリ１４８３の一部分は、不揮発性ランダムアクセスメモリ（ＮＶＲＡＭ）も含んでよい。命令１４７９ｂおよびデータ１４８１ｂは、プロセッサ１４７７にも存在する。プロセッサ１４７７に読み込まれた命令１４７９ｂおよび／またはデータ１４８１ｂは、プロセッサ１４７７による実行または処理のために読み込まれた、メモリ１４８３からの命令１４７９ａおよび／またはデータ１４８１ａも含んでよい。命令１４７９ｂは、上記の方法２００、４００の１つ以上を実装するためにプロセッサ１４７７によって実行される。
【０１８２】
ｅＮＢ１４６０は、データの送受信を可能にするための１つ以上の送信機１４１７および１つ以上の受信機１４７８が入った筺体も含む。送信機（単数または複数）１４１７および受信機（単数または複数）１４７８は、１つ以上のトランシーバ１４７６に組み合わされてもよい。１つ以上のアンテナ１４８０ａ〜ｎは、筺体に取り付けられて、トランシーバ１４７６に電気的に結合される。
【０１８３】
ｅＮＢ１４６０の様々なコンポーネントは、データバスに加えて、電力バス、制御信号バスおよびステータス信号バスを含む、バスシステム１４８５によって結合される。しかしながら、明確さのために、図１４では様々なバスがバスシステム１４８５として示される。ｅＮＢ１４６０は、信号処理用のデジタル信号プロセッサ（ＤＳＰ）１４８７も含んでよい。ｅＮＢ１４６０は、ｅＮＢ１４６０の機能へのユーザ・アクセスを提供する通信インターフェース１４８９も含んでよい。図１４に示されるｅＮＢ１４６０は、具体的なコンポーネントのリスティングではなく、機能ブロック図である。
【０１８４】
図１５は、フィードバック情報を送信するためのシステムおよび方法が実装されたＵＥ１５０２の一構成を示すブロック図である。ＵＥ１５０２は、送信手段１５５８、受信手段１５２０および制御手段１５２４を含む。送信手段１５５８、受信手段１５２０および制御手段１５２４は、上の図３および図１３に関連して記載された機能の１つ以上を行うように構成される。上の図１３は、図１５の具体的な装置構造の一例を示す。図３、図５および図１３の機能の１つ以上を実現するために、他の様々な構造が実装されてもよい。例えば、ＤＳＰがソフトウェアによって実現されてもよい。
【０１８５】
図１６は、フィードバック情報を受信するためのシステムおよび方法が実装されたｅＮＢ１６６０の一構成を示すブロック図である。ｅＮＢ１６６０は、送信手段１６１７、受信手段１６７８および制御手段１６８２を含む。送信手段１６１７、受信手段１６７８および制御手段１６８２は、上の図２  図１４に関連して記載された機能の１つ以上を行うように構成される。上の図１４は、図１６の具体的な装置構造の一例を示す。図２、図４および図１４の機能の１つ以上を実現するために、他の様々な構造が実装されてもよい。例えば、ＤＳＰがソフトウェアによって実現されてもよい。
【０１８６】
用語「コンピュータ可読媒体」は、コンピュータまたはプロセッサによってアクセスできる任意の利用可能な媒体を指す。用語「コンピュータ可読媒体」は、本明細書では、非一時的かつ有形のコンピュータおよび／またはプロセッサ可読媒体を示す。限定ではなく、例として、コンピュータ可読またはプロセッサ可読媒体は、ＲＡＭ、ＲＯＭ、ＥＥＰＲＯＭ、ＣＤ−ＲＯＭまたは他の光ディスク記憶、磁気ディスク記憶もしくは他の磁気記憶デバイス、あるいは命令の形態の所望のプログラムコードまたはデータ構造を載せるか、または記憶するために用いることができ、コンピュータまたはプロセッサによってアクセスできる任意の他の媒体を備える。ディスク（ｄｉｓｋ）およびディスク（ｄｉｓｃ）は、本明細書では、コンパクトディスク（ＣＤ：ｃｏｍｐａｃｔ  ｄｉｓｃ）、レーザディスク（ｌａｓｅｒ  ｄｉｓｃ）、光ディスク（ｏｐｔｉｃａｌ  ｄｉｓｃ）、デジタルバーサタイルディスク（ＤＶＤ：ｄｉｇｉｔａｌ  ｖｅｒｓａｔｉｌｅ  ｄｉｓｃ）、フロッピーディスク（ｆｌｏｐｐｙ  ｄｉｓｋ）およびＢｌｕ−ｒａｙ（登録商標）ディスク（ｄｉｓｃ）を含み、ディスク（ｄｉｓｋ）は、通常、磁気的にデータを再生し、一方でディスク（ｄｉｓｃ）は、レーザを用いて光学的にデータを再生する。
【０１８７】
留意すべきは、本明細書に記載される方法の１つ以上がハードウェアで実装されてもよく、および／またはハードウェアを用いて行われてもよいことである。例えば、本明細書に記載される方法の１つ以上は、チップセット、特定用途向け集積回路（ＡＳＩＣ）、大規模集積回路（ＬＳＩ）または集積回路などで実装されてもよく、および／またはそれらを用いて実現されてもよい。
【０１８８】
本明細書に開示されるそれぞれの方法は、記載される方法を達成するための１つ以上のステップまたは動作を備える。本方法のステップおよび／または動作は、特許請求の範囲から逸脱することなく、相互に交換されてもよく、および／または単一のステップに組み合わされてもよい。言い換えれば、記載される方法の適切なオペレーションのためにステップまたは動作の特定の順序が必要とされない限り、特許請求の範囲から逸脱することなく、特定のステップおよび／または動作の順序および／または使用が修正されてもよい
【０１８９】
当然のことながら、特許請求の範囲は、先に示された通りの構成および構成要素には限定されない。特許請求の範囲から逸脱することなく、本明細書に記載される配置、オペレーション、ならびにシステム、方法および装置の詳細に様々な修正、変更および変形がなされてもよい。
【図１】
0006423790.tif 000035
【図２】
0006423790.tif 000036
【図３】
0006423790.tif 000037
【図４】
0006423790.tif 000038
【図５】
0006423790.tif 000039
【図６】
0006423790.tif 000040
【図７】
0006423790.tif 000041
【図８】
0006423790.tif 000042
【図９】
0006423790.tif 000043
【図１０】
0006423790.tif 000044
【図１１】
0006423790.tif 000045
【図１２】
0006423790.tif 000046
【図１３】
0006423790.tif 000047
【図１４】
0006423790.tif 000048
【図１５】
0006423790.tif 000049
【図１６】
0006423790.tif 000050